(57)【要約】【課題】患者に投与する薬剤を収容した与薬容器が、該当する患者用のものであることを簡素な構成により物理的に照合し、薬剤の取り違えを防止する。【解決手段】穿孔機３０は、各患者に付与される固有の識別情報に従って、該識別情報と対応する固有の穿孔パターン４２を生成し、穿孔プレート４０をセットした状態で、穿孔プレート４０の穿孔領域４１を穿孔パターン４２の通りに穿孔する。また、プレート装着ブロック５０の複数の進退突起５１を突出／収納位置に調整してプレート装着部５３の突出パターン５２を形成する。穿孔プレート４０の穿孔パターン４２と、プレート装着部５３の突出パターン５２が一致する場合、与薬容器２０に装着された穿孔プレート４０を、医療用容器吊下ハンガー１０に装着されたプレート装着ブロック５０に嵌合し、与薬容器２０を医療用容器吊下ハンガー１０に装着可能に構成している。【選択図】図１
2007172594.tif 000002
【特許請求の範囲】
【請求項１】
各患者に投与する薬剤を収納した与薬容器が、該当する患者用のものであることを照合するための医療用患者照合システムであって、
該与薬容器を固定若しくは保持するための与薬容器設置台に装着可能なプレート装着ブロックと、
該与薬容器に装着可能な穿孔プレートと、
を備え、
該与薬容器に装着された穿孔プレートと、前記与薬容器設置台に装着されたプレート装着ブロックとを連結することで、該与薬容器を前記与薬容器設置台に装着可能に構成してなり、
前記穿孔プレートは、
該与薬容器に設けられた装着部分に装着可能な容器連結部と、
穿孔パターンを穿孔可能な平板状の穿孔領域と
を備え、
前記プレート装着ブロックは、
前記与薬容器設置台に装着可能な設置台装着部と、
与薬容器に装着された穿孔プレートの穿孔領域と略等しい大きさの平面状に形成されたプレート装着部と、
前記プレート装着部に所定のパターンで形成された突起孔に挿入され、突出パターンに応じて突起孔から突出させることが可能な複数の進退突起と、
を備え、
前記医療用患者照合システムはさらに、
各患者に付与される固有の識別情報を入力するための識別情報入力手段と、
前記識別情報入力手段で入力された識別情報に従って、該識別番号と対応する固有の穿孔パターンを生成可能なパターン生成手段と、
前記穿孔プレートをセットした状態で、前記パターン生成手段で生成された穿孔パターンに従って、前記穿孔プレートの穿孔領域を穿孔パターン通りに穿孔するための穿孔手段と、
前記プレート装着ブロックをセットした状態で、前記パターン生成手段で生成された穿孔パターンと対応して、該穿孔パターンの各穿孔位置に対応する進退突起を突出／収納位置に調整してプレート装着部の突出パターンを形成する突出パターン形成手段と、
を有する穿孔機と、
を備え、
前記穿孔プレートの穿孔パターンと、前記プレート装着部の突出パターンが一致する場合に、穿孔パターンに突出パターンを挿入してこれらを装着可能に構成してなることを特徴とする医療用患者照合システム。
【請求項２】
請求項１に記載の医療用患者照合システムであって、
前記識別情報入力手段が、患者の識別情報を記録したＩＤカードを読み取るＩＤカード読み取り部であることを特徴とする医療用患者照合システム。
【請求項３】
請求項１又は２に記載の医療用患者照合システムであって、
前記パターン生成手段で生成される穿孔パターンが、マトリクス状に構成されてなり、マトリクス状に配列された孔の組み合わせによって穿孔パターンを構成して、該穿孔パターンと合致するマトリクス状の突出パターンを挿入して嵌合するよう構成してなることを特徴とする医療用患者照合システム。
【請求項４】
請求項３に記載の医療用患者照合システムであって、
前記穿孔パターンは、マトリクス状の少なくとも上段の隅部左右２カ所は、常に穿孔しておき、かつ突出パターンもこれに対応して、上段の隅部左右２カ所は、常に突出させておくことを特徴とする医療用患者照合システム。
【請求項５】
請求項１から４のいずれか一に記載の医療用患者照合システムであって、
緊急用の穿孔プレートとして、穿孔パターンを構成するすべての位置を穿孔した穿孔パターン、且つすべての進退突起を突出させた緊急用のプレートを生成可能に構成してなることを特徴とする医療用患者照合システム。
【請求項６】
請求項１から５のいずれか一に記載の医療用患者照合システムであって、
前記与薬容器がシリンジであり、
前記与薬容器設置台がシリンジポンプであることを特徴とする医療用患者照合システム。
【請求項７】
各患者に投与する薬剤を収納した与薬容器が、該当する患者用のものであることを照合するための医療用患者照合システムであって、
該与薬容器を吊り下げるための医療用容器吊下ハンガーに装着可能なプレート装着ブロックと、
該与薬容器に装着可能な穿孔プレートと、
を備え、
該与薬容器に装着された穿孔プレートと、前記医療用容器吊下ハンガーに装着されたプレート装着ブロックとを連結することで、該与薬容器を前記医療用容器吊下ハンガーに吊下可能に構成してなり、
前記穿孔プレートは、
該与薬容器に設けられた吊下部に装着可能な容器連結部と、
穿孔パターンを穿孔可能な平板状の穿孔領域と
を備え、
前記プレート装着ブロックは、
前記医療用容器吊下ハンガーに装着可能なハンガー装着部と、
与薬容器に装着された穿孔プレートの穿孔領域と略等しい大きさの平面状に形成されたプレート装着部と、
前記プレート装着部に所定のパターンで形成された突起孔に挿入され、突出パターンに応じて突起孔から突出させることが可能な複数の進退突起と、
を備え、
前記医療用患者照合システムはさらに、
各患者に付与される固有の識別情報を入力するための識別情報入力手段と、
前記識別情報入力手段で入力された識別情報に従って、該識別番号と対応する固有の穿孔パターンを生成可能なパターン生成手段と、
前記穿孔プレートをセットした状態で、前記パターン生成手段で生成された穿孔パターンに従って、前記穿孔プレートの穿孔領域を穿孔パターン通りに穿孔するための穿孔手段と、
前記プレート装着ブロックをセットした状態で、前記パターン生成手段で生成された穿孔パターンと対応して、該穿孔パターンの各穿孔位置に対応する進退突起を突出／収納位置に調整してプレート装着部の突出パターンを形成する突出パターン形成手段と、
を有する穿孔機と、
を備え、
前記穿孔プレートの穿孔パターンと、前記プレート装着部の突出パターンが一致する場合に、穿孔パターンに突出パターンを挿入してこれらを装着可能に構成してなることを特徴とする医療用患者照合システム。
【請求項８】
請求項７に記載の医療用患者照合システムであって、
前記穿孔プレートを装着する与薬容器が輸液バッグであることを特徴とする医療用患者照合システム。
【請求項９】
各患者に投与する薬剤を収納した与薬容器が、該当する患者用のものであることを照合するための医療用患者照合システムにおいて使用される、与薬容器を固定若しくは保持するための与薬容器設置台に備えられたプレート装着ブロックと、該与薬容器に備えられた穿孔プレートに、所定のパターンを形成するための穿孔機であって、
各患者に付与される固有の識別情報を入力するための識別情報入力手段と、
前記識別情報入力手段で入力された識別情報に従って、該識別番号と対応する固有の穿孔パターンを生成可能なパターン生成手段と、
前記穿孔プレートをセットした状態で、前記パターン生成手段で生成された穿孔パターンに従って、前記穿孔プレートの穿孔領域を穿孔パターン通りに穿孔するための穿孔手段と、
前記プレート装着ブロックをセットした状態で、前記パターン生成手段で生成された穿孔パターンと対応して、該穿孔パターンの各穿孔位置に対応する進退突起を突出／収納位置に調整してプレート装着部の突出パターンを形成する突出パターン形成手段と、
を備え、
前記穿孔プレートの穿孔パターンと、前記プレート装着部の突出パターンが一致する場合に、穿孔パターンに突出パターンを挿入してこれらを装着可能としたことを特徴とする穿孔機。
【請求項１０】
請求項９に記載の穿孔機であって、
前記識別情報入力手段が、患者の識別情報を記録したＩＤカードを読み取るＩＤカード読み取り部であることを特徴とする穿孔機。
【請求項１１】
請求項９又は１０に記載の穿孔機であって、
前記パターン生成手段で生成される穿孔パターンが、マトリクス状に構成されてなり、マトリクス状に配列された孔の組み合わせによって穿孔パターンを構成して、該穿孔パターンと合致するマトリクス状の突出パターンを挿入して嵌合するよう構成してなることを特徴とする穿孔機。
【請求項１２】
請求項１１に記載の穿孔機であって、
前記穿孔パターンは、マトリクス状の少なくとも上段の隅部左右２カ所は、常に穿孔しておき、かつ突出パターンもこれに対応して、上段の隅部左右２カ所は、常に突出させておくことを特徴とする穿孔機。
【請求項１３】
請求項９から１１のいずれか一に記載の穿孔機であって、
緊急用の穿孔プレートとして、穿孔パターンを構成するすべての位置を穿孔した穿孔パターン、且つすべての進退突起を突出させた緊急用のプレートを生成可能に構成してなることを特徴とする穿孔機。
【請求項１４】
各患者に投与する薬剤を収納した与薬容器が、該当する患者用のものであることを照合するための医療用患者照合システムにおいて使用される、与薬容器を固定若しくは保持するための与薬容器設置台であって、
一端に該与薬容器を装着するための一以上のプレート装着ブロックを備えており、
前記プレート装着ブロックは、
前記与薬容器設置台に装着可能な設置台装着部と、
与薬容器に装着された穿孔プレートの穿孔領域と略等しい大きさの平面状に形成されたプレート装着部と、
前記プレート装着部に所定のパターンで形成された突起孔に挿入され、突出パターンに応じて突起孔から突出させることが可能な複数の進退突起と、
を備えており、
突出パターンは各患者に付与される固有の識別情報に従って生成され、かつ突出パターンと一致するパターンに形成された穿孔パターンに穿孔された穿孔プレートに対しては、前記突出パターンに設定された進退突起を各々挿入して、前記穿孔プレートを前記プレート装着ブロックに装着可能に構成してなることを特徴とする与薬容器設置台。
【請求項１５】
請求項１４に記載の与薬容器設置台であって、さらに、
前記プレート装着部に前記穿孔プレートを装着した状態で、前記穿孔プレートの上面を覆うカバー部を備えており、
前記カバー部は、すべての突起孔に対応する位置に開口を設けており、前記プレート装着部に前記穿孔プレートを装着した状態で、突出状態にある進退突起を各々対応する開口に挿入するよう構成してなることを特徴とする医療用患者照合システム。
【請求項１６】
請求項１４又は１５に記載の与薬容器設置台であって、
与薬容器設置台が該与薬容器を吊り下げるための医療用容器吊下ハンガーであることを特徴とする与薬容器設置台。
【請求項１７】
請求項１６に記載の与薬容器設置台であって、
複数の前記プレート装着ブロックを、医療用容器吊下ハンガーの一端において円環状に配置してなることを特徴とする与薬容器設置台。
【請求項１８】
請求項１４から１６のいずれか一に記載の与薬容器設置台であって、さらに、
該当する患者の氏名を表示する氏名表示欄を備えることを特徴とする与薬容器設置台。
【請求項１９】
請求項１４から１８のいずれか一に記載の与薬容器設置台であって、
前記プレート装着ブロックを与薬容器設置台から着脱式に構成してなることを特徴とする与薬容器設置台。
【請求項２０】
各患者に投与する薬剤を収納した与薬容器が、該当する患者用のものであることを照合するための医療用患者照合システムにおいて使用される、与薬容器を固定若しくは保持するための与薬容器設置台に装着可能なプレート装着ブロックであって、
前記与薬容器設置台に装着可能な設置台装着部と、
与薬容器に装着された穿孔プレートの穿孔領域と略等しい大きさの平面状に形成されたプレート装着部と、
前記プレート装着部に所定のパターンで形成された突起孔に挿入され、突出パターンに応じて突起孔から突出させることが可能な複数の進退突起と、
を備えており、
突出パターンは各患者に付与される固有の識別情報に従って生成され、かつ突出パターンと一致するパターンに形成された穿孔パターンに穿孔された穿孔プレートに対しては、前記突出パターンに設定された進退突起を各々挿入して、前記穿孔プレートを装着可能に構成してなることを特徴とするプレート装着ブロック。
【請求項２１】
各患者に投与する薬剤を収納した与薬容器が、該当する患者用のものであることを照合するための医療用患者照合システムにおいて使用される、与薬容器を装着するためのプレート装着ブロックであって、
与薬容器が有する穿孔プレートの穿孔領域と略等しい大きさの平面状に形成されたプレート装着部と、
前記プレート装着部に所定のパターンで形成された突起孔に挿入され、突出パターンに応じて突起孔から突出させることが可能な複数の進退突起と、
各患者に付与される固有の識別情報を入力するための識別情報入力手段と、
前記識別情報入力手段で入力された識別情報に従って、該識別番号と対応する固有の穿孔パターンを生成可能なパターン生成手段と、
前記パターン生成手段で生成された穿孔パターンと対応して、該穿孔パターンの各穿孔位置に対応する進退突起を突出／収納位置に調整してプレート装着部の突出パターンを形成する突出パターン形成手段と、
を備え、
前記穿孔プレートに形成された穿孔パターンと、前記プレート装着部の突出パターンが一致する場合に、穿孔パターンに突出パターンを挿入してこれらを装着可能としたことを特徴とするプレート装着ブロック。
【請求項２２】
各患者に投与する薬剤を収納した与薬容器が、該当する患者用のものであることを照合するための医療用患者照合システムにおいて使用される、与薬容器を与薬容器設置台に装着するため与薬容器に装着可能な穿孔プレートであって、
該与薬容器に設けられた装着部分に装着可能な容器連結部と、
穿孔パターンを穿孔可能な平板状の穿孔領域と
を備え、
該与薬容器に装着された穿孔プレートと、前記与薬容器設置台に装着されたプレート装着ブロックとを連結することで、該与薬容器を前記与薬容器設置台に装着すると共に、
前記穿孔プレートの穿孔パターンと、前記プレート装着部の突出パターンが一致する場合に、穿孔パターンに突出パターンを挿入してこれらを装着可能に構成してなることを特徴とする医療用患者照合システム。
【請求項２３】
与薬容器設置台に装着された状態で各患者に投与する薬剤を収納可能な与薬容器であって、
薬剤を収納する薬剤収納部と、
穿孔パターンを穿孔可能な平板状の穿孔領域を設けた穿孔プレートと
を備え、
前記穿孔プレートを、該与薬容器設置台に装着されたプレート装着ブロックに連結することで、該与薬容器を前記与薬容器設置台に装着すると共に、
前記穿孔プレートの穿孔パターンと、前記プレート装着部の突出パターンが一致する場合に、穿孔パターンに突出パターンを挿入してこれらを装着可能となるように構成してなることを特徴とする与薬容器。
【請求項２４】
患者に投与する薬剤を収納した与薬容器が、該当する患者用のものであることを照合するための医療用患者照合システムであって、
前記与薬容器に連結可能で、前記患者に固有の穿孔パターンで貫通孔が形成される穿孔プレートと、
前記穿孔プレートが装着されるプレート装着部、及び、前記穿孔プレートに形成される貫通孔に挿通可能に突出する複数の進退突起を有するプレート装着ブロックと、
前記プレート装着ブロックに前記穿孔プレートを装着する際、前記患者に固有の突出パターンに従って進退突起を突出させる制御装置と、
を備えたことを特徴とする医療用患者照合システム。
【請求項２５】
患者に投与する薬剤を収納した与薬容器が、該当する患者用のものであることを照合するための医療用患者照合システムであって、
前記患者に固有の第１パターンで貫通孔を形成される第１プレートと、
前記与薬容器に連結可能で、前記第１パターンに関連付けされた第２パターンで貫通孔を形成される第２プレートと、
前記第１プレートが装着される第１装着部、
前記第２プレートが装着される第２装着部、
前記第２プレートの貫通孔に挿通して第２装着部からの脱落を防止する複数の進退突起、及び、
前記第１装着部に装着された第１プレートに形成された貫通孔の第１パターンと、前記第２装着部に装着された第２プレートに形成された貫通孔の第２パターンとが関連付けされたものである場合、前記第２プレートに係合して前記第２装着部からの脱落を防止する脱落防止部、
を有するプレート装着ブロックと、
を備えたことを特徴とする医療用患者照合システム。
【請求項２６】
前記第１プレートに前記患者に固有の第１パターンで貫通孔を形成し、前記第２プレートに前記第１パターンに関連付けされた第２パターンで貫通孔を形成する穿孔手段をさらに備えたことを特徴とする請求項２４又は２５に記載の医療用患者照合システム。
【発明の詳細な説明】
【技術分野】
【０００１】
本発明は、各患者に投与する薬剤を収納した与薬容器が、該当する患者用のものであることを照合するための医療用患者照合システム、及び、このシステムで使用する穿孔機、与薬容器設置台、プレート装着ブロック、穿孔プレート、与薬容器に関する。
【背景技術】
【０００２】
医療の分野においては、患者に投与する点滴を取り違えて、別の患者に投与してしまう医療事故が大きな社会問題となっている。例えば、図２２に示すような医療用容器吊下ハンガーＤに輸液バッグ２０Ｂを吊り下げて、患者の血管に輸液を注入する点滴が行われているが、別の患者用の輸液バッグを誤って医療用容器吊下ハンガーＤにセットし、投与することがあった。特に、患者数が多くなり、また使用する輸液、薬剤が多くなればなる程、このような取り違え事故が発生し易くなるため、これを回避するための方策が求められている。取り違え防止のための技術として、患者の識別情報を記録したバーコードラベルを点滴に貼付して、かつ患者のリストバンドやベッド、IＤカードなどにも同様に患者の識別情報を記録したバーコードラベルを貼付しておき、投薬前にこれらのバーコードラベルをバーコードリーダで読み取り、照合することにより、正しい投薬であることを確認する技術が開発され、一部で導入されている（例えば、特許文献１参照）。この方法によれば、患者に投与する前に、バーコードをスキャンして正しい薬剤と患者の組み合わせであることを確認した上で、投与を行う。
【０００３】
また同様に、図２３に示すような点滴スタンド装置も開発されている（特許文献２参照）。この図に示す点滴スタンド装置は、薬品容器１と点滴スタンド２とを備え、薬品容器１には識別素子３が取着される一方、点滴スタンド２には読取装置５が配設されている。この読取装置５は薬品容器１に取着された識別素子３を読み取る。そして、点滴スタンド２には判断装置６が配設されており、この判断装置６は読み取った識別素子３で表される薬品投与情報と予め設定済みの識別基準情報とを照合したうえで両方の情報が互いに一致しているか否かを判断する。この点滴スタンド装置は、薬品容器に取着された識別素子を点滴スタンドのＩＣタグやバーコードなどの読取装置で読み取ることで、薬品容器と患者との照合および確認を誤りなく実行できるので、人為的なミスを排して作業効率の向上を実現しながら医療過誤の発生を未然に防止することができる。
【特許文献１】特問２００２−２７９０６７号公報
【特許文献２】特問２００２−１１９５８７号公報
【発明の開示】
【発明が解決しようとする課題】
【０００４】
しかしながら、これらのシステムにおいても、取り違えを完全に防止できるものではない。例えばバーコードラベルを輸液バッグに貼付して照合する場合は、照合作業に不慣れな医療従事者によってバーコードの読み取りミスが生じたり、緊急時などにバーコード照合をし忘れたり、省略することもあり、取り違え事故は依然として起こり得る。
【０００５】
また特許文献１に係る点滴スタンド装置においては、高価なＩＣタグシステムを導入する必要があるため、導入コストが高く容易に利用できないという問題があった。またコンピュータによる照合を行うため、上記のバーコードの場合と同様に、電子機器の操作に不慣れな者には敷居が高く、操作方法の習得が容易でない上、操作ミスを生じるという問題もあった。医療現場においては、既存のシステムを生かしつつ安価に導入できるものであって、かつ高度なハイテクの知識がなくとも扱えるような、機構が簡単でかつ確実性の高い方法が求められていた。
【０００６】
本発明は、このような状況に鑑みてなされたものである。本発明の主な目的は、既存のシステムに付加できる安価な構成であって、かつ簡素な構成により物理的に取り違えを回避可能な医療用患者照合システム、穿孔機、与薬容器設置台、プレート装着ブロック、穿孔プレート、与薬容器を提供することにある。
【課題を解決するための手段】
【０００７】
上記の目的を達成するために、本発明の第１の医療用患者照合システムは、各患者に投与する薬剤を収納した与薬容器が、該当する患者用のものであることを照合するための医療用患者照合システムであって、該与薬容器を固定若しくは保持するための与薬容器設置台に装着可能なプレート装着ブロックと、該与薬容器に装着可能な穿孔プレートとを備える。この医療用患者照合システムは、該与薬容器に装着された穿孔プレートと、前記与薬容器設置台に装着されたプレート装着ブロックとを連結することで、該与薬容器を前記与薬容器設置台に装着可能に構成している。前記穿孔プレートは、該与薬容器に設けられた装着部分に装着可能な容器連結部と、穿孔パターンを穿孔可能な平板状の穿孔領域とを備える。プレート装着ブロックは、前記与薬容器設置台に装着可能な設置台装着部と、与薬容器に装着された穿孔プレートの穿孔領域と略等しい大きさの平面状に形成されたプレート装着部と、前記プレート装着部に所定のパターンで形成された突起孔に挿入され、突出パターンに応じて突起孔から突出させることが可能な複数の進退突起とを備える。また医療用患者照合システムはさらに、各患者に付与される固有の識別情報を入力するための識別情報入力手段と、前記識別情報入力手段で入力された識別情報に従って、該識別番号と対応する固有の穿孔パターンを生成可能なパターン生成手段と、前記穿孔プレートをセットした状態で、前記パターン生成手段で生成された穿孔パターンに従って、前記穿孔プレートの穿孔領域を穿孔パターン通りに穿孔するための穿孔手段と、前記プレート装着ブロックをセットした状態で、前記パターン生成手段で生成された穿孔パターンと対応して、該穿孔パターンの各穿孔位置に対応する進退突起を突出／収納位置に調整してプレート装着部の突出パターンを形成する突出パターン形成手段とを有する穿孔機とを備える。この医療用患者照合システムは、前記穿孔プレートの穿孔パターンと、前記プレート装着部の突出パターンが一致する場合に、穿孔パターンに突出パターンを挿入してこれらを装着可能に構成している。これにより、患者間での医薬の取り違えなどのミスを物理的に防ぐことが可能となる。各患者に付与されるＩＤなどの識別情報を利用して、患者固有の穿孔パターンを穿孔機で生成して与薬容器をセットする嵌合構造の可否を決定できるので、穿孔パターンと突出パターンが一致しないと、穿孔プレートをプレート装着ブロックに装着できず、与薬容器を装着不能として、薬剤の取り違いを物理的に阻止できる。
【０００８】
また、本発明の第２の医療用患者照合システムは、識別情報入力手段が、患者の識別情報を記録したＩＤカードを読み取るＩＤカード読み取り部である。これにより、患者のＩＤカードをＩＤカード読み取り部にセットすることで自動的にこのＩＤに記録された患者固有の識別情報を読み取り、これに応じた穿孔パターンを生成できるので、識別情報の入力を省力化すると共に入力ミスをなくし、より安全性の高い医療用患者照合システムが実現できる。
【０００９】
さらに、本発明の第３の医療用患者照合システムは、パターン生成手段で生成される穿孔パターンが、マトリクス状に構成されてなり、マトリクス状に配列された孔の組み合わせによって穿孔パターンを構成して、該穿孔パターンと合致するマトリクス状の突出パターンを挿入して嵌合するよう構成している。これにより、孔の有無の組み合わせという簡単なパターンにより、限られた穿孔領域内で多数の組み合わせを容易に生成でき、効率よく照合機能を実現できる。
【００１０】
さらにまた、本発明の第４の医療用患者照合システムは、穿孔パターンは、マトリクス状の少なくとも上段の隅部左右２ヵ所は、常に穿孔しておき、かつ突出パターンもこれに対応して、上段の隅部左右２ヵ所は、常に突出させておく。これにより、穿孔パターンの内、隅部の進退突起及び穿孔を、穿孔プレートを物理的にプレート装着ブロックに係止するための係止手段として併用できるので、別途係止構造を設けることなく、嵌合構造を係止手段に併用することができ、安価で簡素な構成が実現できる。
【００１１】
さらにまた、本発明の第５の医療用患者照合システムは、緊急用の穿孔プレートとして、穿孔パターンを構成するすべての位置を穿孔した穿孔パターン、かつ、すべての進退突起を突出させた緊急用のプレートを生成可能に構成している。これにより、どのようなプレート装着ブロックにも装着可能な穿孔プレートとでき、急患などの緊急時にも速やかに使用可能な穿孔プレートを生成できる。また、プレート装着ブロックも全部突出させてもよく、これにより確実に緊急用穿孔プレートを装着できる。
【００１２】
さらにまた、本発明の第６の医療用患者照合システムは、前記与薬容器がシリンジであり、前記与薬容器設置台がシリンジポンプである。これにより、シリンジポンプにシリンジをセットする際にも、患者照合を行うことができる。
【００１３】
さらにまた、本発明の第７の医療用患者照合システムは、各患者に投与する薬剤を収納した与薬容器が、該当する患者用のものであることを照合するための医療用患者照合システムであって、該与薬容器を吊り下げるための医療用容器吊下ハンガーに装着可能なプレート装着ブロックと、該与薬容器に装着可能な穿孔プレートとを備える。この医療用患者照合システムは、該与薬容器に装着された穿孔プレートと、医療用容器吊下ハンガーに装着されたプレート装着ブロックとを連結することで、該与薬容器を医療用容器吊下ハンガーに吊下可能に構成している。穿孔プレートは、該与薬容器に設けられた吊下部に装着可能な吊下装着部と、穿孔パターンを穿孔可能な平板状の穿孔領域とを備える。プレート装着ブロックは、医療用容器吊下ハンガーに装着可能なハンガー装着部と、与薬容器に装着された穿孔プレートの穿孔領域と略等しい大きさの平面状に形成されたプレート装着部と、プレート装着部に所定のパターンで形成された突起孔に挿入され、突出パターンに応じて突起孔から突出させることが可能な複数の進退突起とを備える。この医療用患者照合システムはさらに、各患者に付与される固有の識別情報を入力するための識別情報入力手段と、識別情報入力手段で入力された識別情報に従って、該識別番号と対応する固有の穿孔パターンを生成可能なパターン生成手段と、穿孔プレートをセットした状態で、パターン生成手段で生成された穿孔パターンに従って、穿孔プレートの穿孔領域を穿孔パターン通りに穿孔するための穿孔手段と、プレート装着ブロックをセットした状態で、パターン生成手段で生成された穿孔パターンと対応して、該穿孔パターンの各穿孔位置に対応する進退突起を突出／収納位置に調整してプレート装着部の突出パターンを形成する突出パターン形成手段とを有する穿孔機を備える。この医療用患者照合システムは、穿孔プレートの穿孔パターンと、プレート装着部の突出パターンが一致する場合に、穿孔パターンに突出パターンを挿入してこれらを装着可能に構成している。これにより、患者間での医薬の取り違えなどのミスを物理的に防ぐことが可能となる。各患者に付与されるＩＤなどの識別情報を利用して、患者固有の穿孔パターンを穿孔機で生成して与薬容器をセットする嵌合構造の可否を決定できるので、穿孔パターンと突出パターンが一致しないと、穿孔プレートをプレート装着ブロックに装着できず、与薬容器を吊り下げ不能として、薬剤の取り違いを物理的に阻止できる。
【００１４】
さらにまた、本発明の第８の医療用患者照合システムは、穿孔プレートを装着する与薬容器が輸液バッグである。これにより、点滴などの輸液において、輸液バッグの取り違えを防止して安全性を高めた医療用患者照合システムが実現できる。
【００１５】
さらにまた、本発明の第９の穿孔機は、各患者に投与する薬剤を収納した与薬容器が、該当する患者用のものであることを照合するための医療用患者照合システムにおいて使用される、与薬容器を固定若しくは保持するための与薬容器設置台に備えられたプレート装着ブロックと、該与薬容器に備えられた穿孔プレートに、所定のパターンを形成するための穿孔機である。この穿孔機は、各患者に付与される固有の識別情報を入力するための識別情報入力手段と、前記識別情報入力手段で入力された識別情報に従って、該識別番号と対応する固有の穿孔パターンを生成可能なパターン生成手段と、前記穿孔プレートをセットした状態で、前記パターン生成手段で生成された穿孔パターンに従って、前記穿孔プレートの穿孔領域を穿孔パターン通りに穿孔するための穿孔手段と、前記プレート装着ブロックをセットした状態で、前記パターン生成手段で生成された穿孔パターンと対応して、該穿孔パターンの各穿孔位置に対応する進退突起を突出／収納位置に調整してプレート装着部の突出パターンを形成する突出パターン形成手段とを備え、前記穿孔プレートの穿孔パターンと、前記プレート装着部の突出パターンが一致する場合に、穿孔パターンに突出パターンを挿入してこれらを装着可能としている。これにより、患者間での医薬の取り違えなどのミスを物理的に防ぐことが可能となる。各患者に付与されるＩＤなどの識別情報を利用して、患者固有の穿孔パターンを穿孔機で生成して与薬容器をセットする嵌合構造の可否を決定できるので、穿孔パターンと突出パターンが一致しないと穿孔プレートをプレート装着ブロックに装着できず、与薬容器を装着不能として、薬剤の取り違いを物理的に阻止できる。
【００１６】
さらにまた、本発明の第１０の穿孔機は、識別情報入力手段が、患者の識別情報を記録したＩＤカードを読み取るＩＤカード読み取り部である。これにより、患者のＩＤカードをＩＤカード読み取り部にセットすることで自動的にこのＩＤに記録された患者固有の識別情報を読み取り、これに応じた穿孔パターンを生成できるので、識別情報の入力を省力化すると共に入力ミスをなくし、より安全性の高い医療用患者照合システムが実現できる。
【００１７】
さらにまた、本発明の第１１の穿孔機は、パターン生成手段で生成される穿孔パターンが、マトリクス状に構成されてなり、マトリクス状に配列された孔の組み合わせによって穿孔パターンを構成して、該穿孔パターンと合致するマトリクス状の突出パターンを挿入して嵌合するよう構成している。これにより、孔の有無の組み合わせという簡単なパターンにより、限られた穿孔領域内で多数の組み合わせを容易に生成でき、効率よく照合機能を実現できる。
【００１８】
さらにまた、本発明の第１２の穿孔機は、穿孔パターンは、マトリクス状の少なくとも上段の隅部左右２ヵ所は、常に穿孔しておき、かつ突出パターンもこれに対応して、上段の隅部左右２ヵ所は、常に突出させておく。これにより、穿孔パターンの内、隅部の進退突起及び穿孔を、穿孔プレートを物理的にプレート装着ブロックに係止するための係止手段として併用できるので、別途係止構造を設けることなく、嵌合構造を係止手段に併用することができ、安価で簡素な構成が実現できる。
【００１９】
さらにまた、本発明の第１３の穿孔機は、緊急用の穿孔プレートとして、穿孔パターンを構成するすべての位置を穿孔した穿孔パターン、かつ、すべての進退突起を突出させた緊急用のプレートを生成可能に構成している。これにより、どのようなプレート装着ブロックにも装着可能な穿孔プレートとでき、急患などの緊急時にも速やかに使用可能な穿孔プレートを生成できる。また、プレート装着ブロックも全部突出させてもよく、これにより確実に緊急用穿孔プレートを装着できる。
【００２０】
さらにまた、本発明の第１４の与薬容器設置台は、各患者に投与する薬剤を収納した与薬容器が、該当する患者用のものであることを照合するための医療用患者照合システムにおいて使用される、与薬容器を固定若しくは保持するための与薬容器設置台である。この与薬容器設置台は、一端に与薬容器を装着するための１以上のプレート装着ブロックを備えている。プレート装着ブロックは、前記与薬容器設置台に装着可能な設置台装着部と、与薬容器に装着された穿孔プレートの穿孔領域と略等しい大きさの平面状に形成されたプレート装着部と、前記プレート装着部に所定のパターンで形成された突起孔に挿入され、突出パターンに応じて突起孔から突出させることが可能な複数の進退突起とを備えている。突出パターンは各患者に付与される固有の識別情報に従って生成され、かつ、突出パターンと一致するパターンに形成された穿孔パターンに穿孔された穿孔プレートに対しては、前記突出パターンに設定された進退突起を各々挿入して、前記穿孔プレートを前記プレート装着ブロックに装着可能に構成している。これにより、患者間での医薬の取り違えなどのミスを物理的に防ぐことが可能となる。各患者に付与されるＩＤなどの識別情報を利用して、患者固有の穿孔パターンを穿孔機で生成して与薬容器をセットする嵌合構造の可否を決定できるので、穿孔パターンと突出パターンが一致しないと穿孔プレートをプレート装着ブロックに装着できず、与薬容器を装着不能として、薬剤の取り違いを物理的に阻止できる。
【００２１】
さらにまた、本発明の第１５の与薬容器設置台は、さらにプレート装着部に穿孔プレートを装着した状態で、穿孔プレートの上面を覆うカバー部を備えており、カバー部は、すべての突起孔に対応する位置に開口を設けており、プレート装着部に穿孔プレートを装着した状態で、突出状態にある進退突起を各々対応する開口に挿入するよう構成している。これにより、穿孔プレートをプレート装着部に嵌合した状態で穿孔プレートが抜け落ちるのが防止され、より確実に与薬容器を装着して固定できる。
【００２２】
さらにまた本発明の第１６の与薬容器設置台は、与薬容器設置台に与薬容器を吊り下げるための医療用容器吊下ハンガーである。これにより、輸液バッグなどの与薬容器を吊り下げる医療用容器吊下ハンガーに、上記与薬容器設置台を適用して確実な患者照合を実現できる。
【００２３】
さらにまた、本発明の第１７の与薬容器設置台は、複数のプレート装着ブロックを、医療用容器吊下ハンガーの一端において円環状に配置している。これにより、複数の輸液バッグなどの与薬容器を使用する場合でも、これらを離間して配置できるため、各輸液バッグの視認性がよくなり、従来の問題点であった同一のフック等に多数の輸液バッグを重ねた際にラベルの視認性が悪くなり、取り違えに気付き難くなるという問題を回避でき得る。
【００２４】
さらにまた、本発明の第１８の与薬容器設置台は、さらに該当する患者の氏名を表示する氏名表示欄を備える。これにより、与薬容器設置台を使用する患者の名前を表示することができ、与薬容器設置台自体の物理的な取り違えを防止できる。
【００２５】
さらにまた、本発明の第１９の与薬容器設置台は、プレート装着ブロックを与薬容器設置台から着脱式に構成している。これにより、プレート装着ブロックを既存の与薬容器設置台に装着して、与薬容器の照合機構を実現できる。また与薬容器設置台に装着するプレート装着ブロックの数や固定位置を容易に変更できるようにすることで、使い勝手を改善できる。
【００２６】
さらにまた、本発明の第２０のプレート装着ブロックは、各患者に投与する薬剤を収納した与薬容器が、該当する患者用のものであることを照合するための医療用患者照合システムにおいて使用される、与薬容器を固定若しくは保持するための与薬容器設置台に装着可能なプレート装着ブロックである。このプレート装着ブロックは、前記与薬容器設置台に装着可能な設置台装着部と、与薬容器に装着された穿孔プレートの穿孔領域と略等しい大きさの平面状に形成されたプレート装着部と、前記プレート装着部に所定のパターンで形成された突起孔に挿入され、突出パターンに応じて突起孔から突出させることが可能な複数の進退突起とを備えている。また突出パターンは各患者に付与される固有の識別情報に従って生成され、かつ突出パターンと一致するパターンに形成された穿孔パターンに穿孔された穿孔プレートに対しては、前記突出パターンに設定された進退突起を各々挿入して、前記穿孔プレートを装着可能に構成している。これにより、患者間での医薬の取り違えなどのミスを物理的に防ぐことが可能となる。各患者に付与されるＩＤなどの識別情報を利用して、患者固有の穿孔パターンを穿孔機で生成して与薬容器をセットする嵌合構造の可否を決定できるので、穿孔パターンと突出パターンが一致しないと穿孔プレートをプレート装着ブロックに装着できず、与薬容器を装着不能として、薬剤の取り違いを物理的に阻止できる。
【００２７】
さらにまた、本発明の第２１のプレート装着ブロックは、各患者に投与する薬剤を収納した与薬容器が、該当する患者用のものであることを照合するための医療用患者照合システムにおいて使用される、与薬容器を装着するためのプレート装着ブロックである。このプレート装着ブロックは、与薬容器が有する穿孔プレートの穿孔領域と略等しい大きさの平面状に形成されたプレート装着部と、前記プレート装着部に所定のパターンで形成された突起孔に挿入され、突出パターンに応じて突起孔から突出させることが可能な複数の進退突起と、各患者に付与される固有の識別情報を入力するための識別情報入力手段と、前記識別情報入力手段で入力された識別情報に従って、該識別番号と対応する固有の穿孔パターンを生成可能なパターン生成手段と、前記パターン生成手段で生成された穿孔パターンと対応して、該穿孔パターンの各穿孔位置に対応する進退突起を突出／収納位置に調整してプレート装着部の突出パターンを形成する突出パターン形成手段とを備える。また前記穿孔プレートに形成された穿孔パターンと、前記プレート装着部の突出パターンが一致する場合に、穿孔パターンに突出パターンを挿入してこれらを装着可能としている。これにより、患者間での医薬の取り違えなどのミスを物理的に防ぐことが可能となる。各患者に付与されるＩＤなどの識別情報を利用して、患者固有の穿孔パターンを穿孔機で生成して与薬容器をセットする嵌合構造の可否を決定できるので、穿孔パターンと突出パターンが一致しないと穿孔プレートをプレート装着ブロックに装着できず、与薬容器を装着不能として、薬剤の取り違いを物理的に阻止できる。
【００２８】
さらにまた、本発明の第２２の穿孔プレートは、各患者に投与する薬剤を収納した与薬容器が、該当する患者用のものであることを照合するための医療用患者照合システムにおいて使用される、与薬容器を与薬容器設置台に装着するため与薬容器に装着可能な穿孔プレートである。この穿孔プレートは、該与薬容器に設けられた装着部分に装着可能な容器連結部と、穿孔パターンを穿孔可能な平板状の穿孔領域とを備える。また該与薬容器に装着された穿孔プレートと、前記与薬容器設置台に装着されたプレート装着ブロックとを連結することで、該与薬容器を前記与薬容器設置台に装着すると共に、前記穿孔プレートの穿孔パターンと、前記プレート装着部の突出パターンが一致する場合に、穿孔パターンに突出パターンを挿入してこれらを装着可能に構成している。これにより、患者間での医薬の取り違えなどのミスを物理的に防ぐことが可能となる。各患者に付与されるＩＤなどの識別情報を利用して、患者固有の穿孔パターンを穿孔機で生成して与薬容器をセットする嵌合構造の可否を決定できるので、穿孔パターンと突出パターンが一致しないと穿孔プレートをプレート装着ブロックに装着できず、与薬容器を装着不能として、薬剤の取り違いを物理的に阻止できる。
【００２９】
さらにまた、本発明の第２３の与薬容器は、与薬容器設置台に装着された状態で各患者に投与する薬剤を収納可能な与薬容器である。この与薬容器は、薬剤を収納する薬剤収納部と、穿孔パターンを穿孔可能な平板状の穿孔領域を設けた穿孔プレートとを備える。また、前記穿孔プレートを、該与薬容器設置台に装着されたプレート装着ブロックに連結することで、該与薬容器を前記与薬容器設置台に装着すると共に、前記穿孔プレートの穿孔パターンと、前記プレート装着部の突出パターンが一致する場合に、穿孔パターンに突出パターンを挿入してこれらを装着可能となるように構成している。これにより、患者間での医薬の取り違えなどのミスを物理的に防ぐことが可能となる。各患者に付与されるＩＤなどの識別情報を利用して、患者固有の穿孔パターンを穿孔機で生成して与薬容器をセットする嵌合構造の可否を決定できるので、穿孔パターンと突出パターンが一致しないと穿孔プレートをプレート装着ブロックに装着できず、与薬容器を装着不能として、薬剤の取り違いを物理的に阻止できる。
【００３０】
さらにまた、本発明の第２４の医療用患者照合システムは、各患者に投与する薬剤を収納した与薬容器が、該当する患者用のものであることを照合するための医療用患者照合システムである。このシステムは、与薬容器に連結可能で、前記各患者に固有の穿孔パターンで貫通孔が形成された穿孔プレートと、前記穿孔プレートが装着されるプレート装着部、及び、前記各患者に固有の突出パターンで突出する進退突起を有するプレート装着ブロックと、前記プレート装着ブロックに前記穿孔プレートを装着する際、前記突出パターンに従って進退突起を突出させ、前記突出パターンと前記穿孔パターンとが合致した場合、装着可能とし、合致しない場合、装着不能とする制御装置とを備える。これにより、ある患者用に用意されたプレート装着ブロックに、他の患者の穿孔プレートを装着しようとしても、プレート装着ブロックでの進退突起の突出パターンが、装着した穿孔プレートの穿孔パターンと合致しないため、穿孔プレートを装着することができない。この結果、患者間での医薬の取り違えなどのミスを物理的に防ぐことが可能となる。
【００３１】
さらにまた、本発明の第２５の医療用患者照合システムは、各患者に投与する薬剤を収納した与薬容器が、該当する患者用のものであることを照合するための医療用患者照合システムである。このシステムは、各患者に特有の第１パターンで貫通孔を形成される第１プレートと、前記与薬容器に連結可能で、前記第１パターンに関連付けされた第２パターンで貫通孔を形成される第２プレートと、前記第１プレートが装着される第１装着部、前記第２プレートが装着される第２装着部、及び、前記第２プレートの貫通孔に挿通して第２装着部からの第２プレートの脱落を防止可能な複数の進退突起を有するプレート装着ブロックと、前記プレート装着ブロックは、第１装着部に第１プレートを装着すると共に、第２装着部に第２プレートを装着した状態で、第１パターンと第２パターンとが互いに関連付けされたものである場合、前記進退突起により第２装着部からの第２プレートの脱落を防止可能とする制御装置とを備える。これにより、患者に対して第１パターンで貫通孔を形成した第１プレートを用意しておき、与薬容器に、この第１パターンに関連付けた第２パターンで貫通孔を形成した第２プレートを装着しておけば、プレート装着ブロックに前記第１プレートを装着した状態で、前記第２プレートを装着しない限り、与薬容器をセットすることができない。また、前記プレート装着ブロックを、第１装着部に、上方から第１プレートを装着可能とし、第２装着部に、下方から第２プレートを装着可能となるように配置すると、第１プレートに対して正規の第２プレートが装着されない限り、脱落防止部によって脱落を防止された状態とならない。このため、誤って他の第２プレートを装着しても、自重により自然落下するので、確実に取り違えミスを防止することが可能となる。
【発明の効果】
【００３２】
以上のように本発明の医療用患者照合システム、穿孔機、与薬容器設置台、プレート装着ブロック、穿孔プレート、与薬容器によれば、患者間での医薬の取り違えなどのミスを物理的に防ぐことが可能となる。すなわち、各患者に付与されるＩＤなどの識別情報を利用して、患者固有の穿孔パターンを穿孔機で生成して与薬容器をセットする嵌合構造の可否を決定できるので、穿孔パターンと突出パターンが一致しないと穿孔プレートをプレート装着ブロックに装着できず、与薬容器を装着不能として、薬剤の取り違いを物理的に阻止できる。
【００３３】
また、穿孔パターンと突出パターンとの嵌合で、与薬容器の装着構造を兼用できるので、装着のための構造を別途設ける必要がなく、そのための構成を省いて簡素化できる上、これらを省くことで誤って装着してしまう事故も防止できる。
【００３４】
さらに、照合を行うための穿孔パターンを設けるため、専用の領域を設けた与薬容器を新たに用意すると、製造のための工場ラインを変更する必要があり、大変な手間とコストがかかるが、別部材で穿孔プレートを用意し、これを既存の与薬容器の装着部分に付加することで、既存のシステムを生かしつつ安価にバッグの取り違えをなくして安全性を高めることができる。
【発明を実施するための最良の形態】
【００３５】
以下、本発明の実施の形態を図面に基づいて説明する。ただし、以下に示す実施の形態は、本発明の技術思想を具体化するための医療用患者照合システム、穿孔機、与薬容器設置台、プレート装着ブロック、穿孔プレート、与薬容器を例示するものであって、本発明の医療用患者照合システム、穿孔機、与薬容器設置台、プレート装着ブロック、穿孔プレート、与薬容器を以下のものに特定しない。また、特許請求の範囲に示される部材を、実施の形態の部材に特定するものでは決してない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００３６】
（実施の形態１）
以下、本発明の実施の形態１に係る医療用患者照合システムを図１〜図１０に基づいて説明する。実施の形態１では、与薬容器設置台の一形態として、与薬容器を吊り下げるための医療用容器吊下ハンガー１０を使用している。これらの図において、図１は医療用容器吊下ハンガー１０に与薬容器２０を吊り下げた状態を示す斜視図であり、図２は穿孔機３０を示す説明図、図３は与薬容器２０に穿孔プレート４０を装着した状態を示す平面図、図４及び図５は与薬容器の他の例２０Ｂ、２０Ｃを示す平面図、図６はプレート装着ブロック５０に穿孔プレート４０を装着する状態を示す断面図、図７は医療用容器吊下ハンガー１０に装着されるプレート装着ブロック５０を示す斜視図、図８は図７のプレート装着ブロック５０の進退突起５１を突出させる状態を説明する断面図、図９は図６のプレート装着ブロック５０にセットされるカバー部６０を示す斜視図、図１０は穿孔機３０の構成を示すブロック図を、それぞれ示している。これらの図に示す医療用患者照合システムは、患者に投与する薬剤を収納する与薬容器２０と、与薬容器２０を吊り下げるための医療用容器吊下ハンガー１０と、この医療用容器吊下ハンガー１０に装着されるプレート装着ブロック５０と、与薬容器２０を医療用容器吊下ハンガー１０のプレート装着ブロック５０に嵌合するように構成された穿孔プレート４０を備える。さらに、この医療用患者照合システムは、図２に示すように、穿孔プレート４０に穿孔パターン４２を構成するように穿孔する一方、プレート装着ブロック５０の進退突起５１の選択的に突出させて、穿孔パターン４２と合致する突出パターン５２に形成するための穿孔機３０を備える。以下、各部材を順に説明する。
【００３７】
（与薬容器２０）
与薬容器２０は、図１に示すように穿孔プレート４０、プレート装着ブロック５０を介して医療用容器吊下ハンガー１０に吊下される。与薬容器２０は、図３に示すように薬剤を収納する薬剤収納部２１と、与薬容器２０を医療用容器吊下ハンガー１０等に吊り下げるための装着部分の一形態として、吊下部２２を備える。薬剤収納部２１は樹脂製の袋状であり、病院等の医療機関で使用されている薬液（リンゲル液（生理食塩水）、高カロリー液、電解質補正液等）が予め充填され、周囲がシールされる。また、側面には内容物や患者名などの情報を文字やバーコードで記録したラベル２４が貼付される。
【００３８】
また、与薬容器２０は、図３の正面図に示すように、吊下部２２に穿孔プレート４０を装着している。この図に示す与薬容器２０は、既存の輸液バッグ等が使用できる。多くの与薬容器２０は樹脂製の袋で、その一部には注射針により薬剤を排出できるようにゴム製のポート２５が配されている。与薬容器２０を構成する樹脂としては、（軟質）塩化ビニル樹脂、ポリエチレンやポリプロピレン等のポリオレフィン系樹脂などが用いられる。またバッグの形状としては、矩形、方形、円形等、用途に応じて種々の形状とできる。さらに与薬容器２０には、逆向きの姿勢で医療用容器吊下ハンガー１０に吊り下げるための吊下部２２が設けられている。吊下部２２は、図３に示すように吊り下げ用の取っ手や吊紐、図４に示すように吊り下げ用の吊孔２３等が利用できる。これらの吊下部２２は、従来例の図２１に示す医療用容器吊下ハンガー１０の鉤１５などに引っ掛けて吊り下げるために設けられているが、本実施の形態ではこの吊下部２２を利用して、後述する穿孔プレート４０を装着し、さらに医療用容器吊下ハンガー１０には鉤などの吊下部２２で吊り下げ可能な機構を設けず、代わりにプレート装着ブロック５０を設けることで、穿孔プレート４０の穿孔パターン４２とプレート装着ブロック５０の突出パターン５２が一致するもののみを吊り下げ可能とし、与薬容器２０の取り違えを防止する。
【００３９】
このように、既存の与薬容器を利用し、吊下部２２に穿孔プレート４０を付加することで、与薬容器を変更することなく、与薬容器の取り違え事故を防止する照合システムが実現できる。与薬容器の形状を、穿孔パターンを穿孔可能な形状に変更するには、生産ラインを変更する必要があるなど、大幅なコストアップとなるが、既存の与薬容器を利用して照合システムを構築することで、安価に医療用患者照合システムを導入できる利点が得られる。
【００４０】
なお、図５に示すように与薬容器２０Ｃに予め穿孔領域４１を設けておき、直接穿孔パターン４２を形成可能とする構成も利用できる。この場合は上述の通り、新たな与薬容器を構成する必要があるが、穿孔プレートを与薬容器の吊下部に装着する手間を省くことができる利点が得られる。
【００４１】
（医療用容器吊下ハンガー１０）
医療用容器吊下ハンガー１０は点滴スタンド、架台等とも呼ばれ、輸液バッグなどを吊り下げる機構を備える部材である。医療用容器吊下ハンガー１０は、好ましくはシャフト１１を伸縮自在とする機構、あるいは上部のプレート装着ブロック５０を装着する装着リング１２の高さを調整する機構を設けることで、患者や医療従事者の作業形態に応じた高さに変更できる。また、下端には十字状に突出させた脚部１３を備え、四隅に自由キャスタ１４を固定することで、移動を容易にしている。
【００４２】
従来の医療用容器吊下ハンガーは、図２２に示すように、与薬容器２０Ｂを吊り下げるための鉤１５を設けていた。この構成では、容易に吊り下げできる反面、与薬容器の取り違え事故を防止することができない。そこで本実施の形態では、このような鉤を省いて、かわりに進退突起５１のパターンで穿孔プレート４０に嵌合するプレート装着ブロック５０を備えている。穿孔プレート４０の穿孔パターン４２と、プレート装着ブロック５０の突出パターン５２が一致する場合のみ、与薬容器を医療用容器吊下ハンガー１０に装着可能とすることで、与薬容器の照合を行い、別の患者の与薬容器を誤って医療用容器吊下ハンガーにセットしてしまう事故を防止する。
【００４３】
なお、医療用容器吊下ハンガー自体の取り違えを防止するため、医療用容器吊下ハンガーには、目視により容易に患者のものと判別できる機構を設けることが好ましい。例えば、医療用容器吊下ハンガーのシャフト１１や移動用の取っ手１６の部分に、患者の氏名を表示する氏名表示欄を設けたり、医療用容器吊下ハンガーを色分けしたりして、同病室内の医療用容器吊下ハンガーは、患者毎に異なる色のものを使用するなど、視覚的に他の医療用容器吊下ハンガーと区別できる機構を備えることが好ましい。
【００４４】
また、従来の医療用容器吊下ハンガーでは、図２２に示すように大きめの鉤１５として複数の与薬容器２０Ｂを吊り下げ可能としていたが、これでは一の鉤に複数の与薬容器２０Ｂを架けた場合、互いに与薬容器２０Ｂが重なり合ってしまい、各与薬容器２０Ｂのラベル２４が読みにくくなり、ラベル２４に書かれた患者名や投与手段などの情報を確認できずに、異なる患者の与薬容器や、同じ患者でも投与時期や他の薬剤との組み合わせを取り違えるといった事故が生じやすくなっていた。
【００４５】
これに対し、本実施の形態では、上部にプレート装着ブロック５０を複数装着する装着リング１２を設け、装着リング１２にプレート装着ブロック５０を円環状に配置することで、これらを離間して装着できる。これによって複数の輸液バッグ等を吊り下げる場合でも、各輸液バッグのラベル２４を読みやすくでき、上述した穿孔パターン４２と突出パターン５２の照合に加えて、ラベル２４を目視でも確認でき、二重のチェック体制によって取り違え事故を未然に防止できる。
【００４６】
なお、プレート装着ブロック５０の装着は、上記のようにリング状とする他、矩形状、星状、バー状等としても、プレート装着ブロックを離間して装着することができる。プレート装着ブロック５０は、これらの部材に着脱可能に固定される。プレート装着ブロック５０を着脱するための機構としては、装着リング１２を構成するバーの側面を挟持する円弧状のクリップや、万力状に挟持可能なクランプ、バーにフック状に係止してネジ止めする機構、マグネット式などが利用できる。図６に示す例では、装着リング１２を構成する金属製のバーを断面八角形状とし、その一面に断面コ字状のブロック装着具７０を固定している。ブロック装着具７０は、コ字状の開口部の開口端に突起７１を設け、一方のプレート装着ブロック５０の対応する位置には突起７１を挿入して係合する切り欠き７２を形成し、コ字状開口部分を弾性的に変形可能として突起７１を切り欠き７２に係合する構成が採用されている。上記は一例であり、例えばプレート装着ブロック側に、医療用容器吊下ハンガーに装着するためのハンガー装着部として、断面コ字状のブロック装着部を設ける一方、装着リングに、切り欠きを形成することもできる。このように、プレート装着ブロック５０を着脱式とすることで、後述するように、プレート装着ブロック５０に突出パターン５２を形成するためにプレート装着ブロック５０を、一旦、医療用容器吊下ハンガー１０から取り外し、突出パターン５２形成後に再度医療用容器吊下ハンガー１０に装着することができる。また、一の医療用容器吊下ハンガー１０に装着するプレート装着ブロック５０の数を変更したり、固定位置を調整したり、あるいは不具合の生じたプレート装着ブロック５０の交換が容易であるなど、使い勝手がよくなる。さらに、既存の医療用容器吊下ハンガーに装着して、与薬容器の照合機構を実現することも可能となる。
【００４７】
また一方で、プレート装着ブロックを医療用容器吊下ハンガーに固定式とすることもできる。固定式のプレート装着ブロックは、後述するように、進退突起を自律的に突出、収納して所定の突出パターンを形成可能な構成が必要となる。
【００４８】
（プレート装着ブロック５０）
プレート装着ブロック５０は、医療用容器吊下ハンガー１０に装着されて、穿孔プレート４０を介して与薬容器２０を吊り下げる。このプレート装着ブロック５０は、図６〜図８に示すように、直方体のブロック状に構成され、その表面を、穿孔プレート４０を装着するプレート装着部５３としている。プレート装着部５３は、与薬容器２０に装着された穿孔プレート４０の穿孔領域４１と略等しい大きさの平面状に形成され、さらに所定のパターンで突起孔５４を形成している。突起孔５４を形成するパターンは、後述する突出パターン５２及び穿孔パターン４２を構成する基礎となる。ここでは、縦横にほぼ等間隔に穿孔してマトリクス状に構成している。この例に限られず、オフセット状に突起孔を形成したり、斜め、円形状、渦巻き状などのパターンを形成したりすることもできる。好ましくは、長方形状として、穿孔プレート４０とプレート装着部５３との位置決めを容易にすればよい。
【００４９】
（進退突起５１）
突起孔５４は、貫通孔として、ここに進退突起５１を挿入する。進退突起５１は、各突起孔５４に挿入されて、突出パターン５２に応じて突起孔５４から突出させる。これにより、突出させた進退突起５１で、突出パターン５２を構成する。
【００５０】
進退突起５１は、後端面から押し出すことで、進退突起５１を突出させ、あるいは前端面から押し戻すことで進退突起５１を突起孔５４に収納することができる。進退突起５１の突出／収納は、好ましくは後述する穿孔機３０で行う。ただ、手動で突出／収納を切り替えることもできる。
【００５１】
進退突起５１を突出させた状態での突出量は、穿孔プレート４０の厚さや強度などを考慮して決定され、プレート装着ブロック５０のプレート装着部５３から数ｍｍ〜数ｃｍ程度、この例では５ｍｍ程度突出させて、ここに穿孔プレート４０を装着する。なお穿孔プレート４０をプレート装着部５３に装着する際に、誤って進退突起５１が押し戻されて突出パターン５２が崩れないよう、進退突起５１と突起孔５４の大きさはほぼ同じとし、あるいは突起孔５４内面と進退突起５１外面との摩擦係数を大きく設定するなどして、作業者の手の力で容易に進退突起５１を押し戻せない程度の強度で、突出状態を保持するように設計される。
【００５２】
またこの例では、突起孔５４を円筒状、進退突起５１を円柱状としており、容易に進退突起５１を突起孔５４に挿入し、これを押し出し、収納できる。ただ、突起孔を四角形や三角形その他の多角形としたり、楕円状、星形状等の形状としたりしてもよい。図７の例では、円形の突起孔５４を縦５本、横６本の計３０個、マトリクス状に貫通し、円柱状の進退突起５１を挿入している。この進退突起５１を、所定のパターンで突出させることで突出パターン５２を構成し、穿孔パターン４２と組み合わせて、患者毎に応じたパターンとする。突出パターン５２、穿孔パターン４２を具体的に構成する手順については、後述する。
【００５３】
（カバー部６０）
プレート装着ブロック５０は、図６に示すように、プレート装着部５３に穿孔プレート４０を装着した状態で、穿孔プレート４０の上面を覆うカバー部６０を備える。カバー部６０は図９の斜視図に示すように、すべての突起孔５４に対応する位置に開口を設けており、プレート装着部５３に穿孔プレート４０を装着した状態でカバー部６０を閉塞できるので、穿孔プレート４０が抜け落ちるのを防止できる。
【００５４】
図６に示すカバー部６０は、別部材で構成し、ピボット状に回動自在に、医療用容器吊下ハンガー１０のブロック装着具７０に連結している。これによって別部材のカバー部６０の紛失を防止できる。またカバー部６０はプレート装着ブロック５０に設けてもよく、さらには別部材とせず、プレート装着ブロックやブロック装着具と一体に形成することもできる。例えばプラスチックで一体成形されたプレート装着ブロックやブロック装着具から、板状のカバー部を突出させ、弾性的に可動させる構成とすることもできる。
【００５５】
また、図９に示すカバー部６０は、左右に固定ボタン１８を備えており、プレート装着部５３を閉塞した状態で、ブロック装着具７０に設けたホック７３に、固定ボタン１８を留めて、閉塞状態に保持できる。このように、プレート装着部５３に穿孔プレート４０を装着した状態でカバー部６０を閉塞して保持でき、さらに突出状態にある進退突起５１をカバー部６０の開口に挿入することで、穿孔プレート４０を両面から挟持し、より確実かつ強固に与薬容器２０を保持できる。
【００５６】
なお、カバー部を設けることなく、進退突起を穿孔孔に挿入することのみで固定することも可能である。この場合、各進退突起は弾性的に穿孔孔に挿入されて、抜けないように保持し、機械的な嵌合を得る。
【００５７】
（ハンガー装着部）
また上述の通り、プレート装着ブロック５０は、医療用容器吊下ハンガー１０に装着するためのハンガー装着部を備えており、図６の例では、突起７１と係合する切り欠き７２を形成している。
【００５８】
（穿孔プレート４０）
穿孔プレート４０は、与薬容器２０に装着されて、プレート装着ブロック５０と嵌合させて与薬容器２０を医療用容器吊下ハンガー１０に吊り下げる。この穿孔プレート４０は、図３の平面図に示すように、与薬容器２０の吊下部２２に装着するための容器連結部４３と、穿孔パターン４２を穿孔可能な平板状の穿孔領域４１とを備える。穿孔プレート４０には、後述するように、与薬容器２０に含まれる薬剤と、患者との対応をとった固有の穿孔パターン４２が穿孔され、対応する患者用の医療用容器吊下ハンガー１０に設けられた突出パターン５２と一致する場合のみ、装着可能としている。穿孔パターン４２として穿孔される孔は、進退突起５１よりも若干大きめに形成し、孔に進退突起５１を容易に挿入できるようにして、短時間でスムーズに穿孔プレート４０をプレート装着部５３に嵌合できるようにする。
【００５９】
穿孔プレート４０は、穿孔後の強度が与薬容器２０の吊り下げに十分な強度を有する部材で構成される。例えば、穿孔領域４１を板状のプラスチック製とし、紐状の容器連結部４３を同じくプラスチック製として接着や溶着、一体形成などで固定する。また穿孔領域４１を構成する板の厚さは、進退突起５１の突出長さよりも短くなるよう、薄く設計される。
【００６０】
また、上述した図５に示すように、穿孔プレート４０を予め与薬容器２０Ｃと一体に設けることも可能である。
【００６１】
（穿孔機３０）
穿孔機３０は、穿孔パターン４２及び突出パターン５２を形成するパターン形成装置として機能する。穿孔機３０のブロック図を図１０に示す。この穿孔機３０は、各患者に付与される固有の識別情報を入力するための識別情報入力手段３１と、識別情報入力手段３１で入力された識別情報に従って、該識別番号と対応する固有の穿孔パターン４２を生成可能なパターン生成手段３２と、穿孔プレート４０をセットした状態で、パターン生成手段３２で生成された穿孔パターン４２に従って、穿孔プレート４０の穿孔領域４１を穿孔パターン４２通りに穿孔するための穿孔手段３３と、プレート装着ブロック５０をセットした状態で、パターン生成手段３２で生成された穿孔パターン４２と対応して、該穿孔パターン４２の各穿孔位置に対応する進退突起５１を突出／収納位置に調整してプレート装着部５３の突出パターン５２を形成する突出パターン形成手段３４と、識別情報入力手段３１で入力された情報を表示するための表示部３５とを備える。この穿孔機３０の外形は、図２の例では箱形の装置であり、前面に７セグメント表示器で構成された表示部３５を設けると共に、穿孔プレート４０を挿入する穿孔スロット３６を開口している。また上面には、プレート装着ブロック５０を挿入する突出スロット３７を開口している。
【００６２】
（識別情報）
患者には、予め患者ＩＤ番号など、固有の識別情報が付与されている。この番号は、例えば患者の識別カードとして配布されたり、識別情報を記録したバーコードシールとして用意されたりする。この穿孔機３０は、このような固有の識別情報に基づいて、固有の穿孔パターン４２を生成し、輸液バッグなどの与薬容器２０に固定された穿孔プレート４０をこの穿孔パターン４２に穿孔する。また一方で、この患者が使用する医療用容器吊下ハンガー１０に固定されたプレート装着ブロック５０に突出パターン５２を形成する。これらの穿孔パターン４２と突出パターン５２は、同じ患者についてのみ一致するように設定しておくことで、正しい与薬容器２０のみを該患者が使用する医療用容器吊下ハンガー１０に吊り下げることができるようになり、他の患者の与薬容器２０を物理的に吊り下げできなくすることで、取り違え事故を防止する。なお、識別情報として、入院時に患者に割り当てられる患者ＩＤ番号を使用する他、医療用患者照合システム専用の識別番号を別途割り当てて使用することも可能であることはいうまでもない。
【００６３】
（識別情報入力手段３１）
この穿孔機３０は識別情報入力手段３１として、患者の識別情報を記録したＩＤカードを読み取るＩＤカード読み取り部を設けることができる。例えばバーコードリーグや２次元コードスキャナ等の光学読取装置を接続して、ＩＤカードに印刷されたバーコードや２次元コードをスキャンして、患者の識別情報を読み取る。あるいは、患者のＩＤカードを直接挿入するカードスロットを穿孔機３０に設け、カードスロットに設けられたスキャナでＩＤカードに印刷されたバーコードなどを読み取ったり、印刷された識別情報をＯＣＲで読み取ったりするなどの方法によって、識別情報を取得することもできる。このような識別番号の自動入力は、入力作業を省力化できる上、操作者の入力ミスを防止できるので、信頼性と作業性を向上できる利点がある。ただ、穿孔機３０にテンキー等の入力手段を設け、手動で識別番号を入力する構成とすることもできる。
【００６４】
入力された識別番号は、表示部３５に表示されるので、操作者は目視により入力された識別情報が正しいことを確認できる。また、識別情報を数字やアルファベットで表示するほか、患者名で表示させることもでき、これによってさらに確認を容易にできる。
【００６５】
（パターン生成手段３２）
識別情報入力手段３１で取得された識別情報に基づいて、パターン生成手段３２は穿孔パターン４２を生成する。穿孔パターン４２は、パンチングによって形成され、穿孔位置が、プレート装着ブロック５０の進退突起５１の突出／収納の組み合わせで構成される突出パターン５２の突出位置と一致することにより、穿孔プレート４０をプレート装着ブロック５０に嵌合できるよう構成される。このような穿孔パターン４２としては、ドット状のパターンが利用でき、ドットをマトリクス状に配置したパターンであれば、限られたスペースで簡単に多数のパターンを形成できるので好ましい。マトリクス状の配置は、例えば矩形状の領域に縦横にドットを行列状に配置したり、三角形状、多角形状、円状、楕円状にドットを並べたりすることもできる。ただ、穿孔プレート４０とプレート装着ブロック５０のプレート装着部５３との位置決めを容易にする観点からは、矩形状が好ましい。一方、例えば円形状にドットを配置する場合は、円形の穿孔パターンを突出パターンに正しい姿勢で嵌合させるための位置決めガイドを設ける。
【００６６】
穿孔パターン４２は、患者に付与された固有の識別情報に基づいて、患者毎に異なる固有の穿孔パターン４２として生成される。例えば、図２の例ではプレート装着ブロック５０に５行６列の計３０本の進退突起５１が埋め込まれている。この３０個の進退突起５１を各々突出／収納させて突出パターン５２を形成する。そして各進退突起５１の位置に対応する穿孔プレート４０上の位置に、穿孔の有無によって穿孔パターン４２を生成する。上記の例では、３０個の穿孔位置の組み合わせで多数の穿孔パターン４２が生成される。ただ穿孔パターン４２は、そのまま突出パターン５２に繋がり、かつ穿孔パターン４２と突出パターン５２との嵌合で与薬容器２０を吊り下げる必要があるため、ある程度の強度を発揮できるように、突出させる進退突起５１の数の最低数を規定しておくことが望ましい。また余りに進退突起５１の数が少ないと、本来異なる穿孔パターンに挿入できることもあり得る。特に、穿孔パターンの穿孔数が多く、突出パターンの突出数が少ない場合、このような誤嵌合が生じ得る可能性が高くなる。このような事態を考慮し、穿孔パターンの穿孔数と突出パターンの突出数とは一致させ、かつその数は５以上、好ましくは１０以上とする。本実施の形態では１６本の進退突起５１を突出させたパターンとしている。進退突起の総数に対して半数程度が突出する構成であれば、利用可能な組み合わせパターンも多くなる上、進退突起の嵌入によって機械的強度も維持されるので、好ましい。
【００６７】
（固定用の進退突起５１）
なお、穿孔パターン４２及び突出パターン５２は、マトリクス状の上段の隅部左右２ヵ所は、常に穿孔、突出させておくことが好ましい。上述の通り、穿孔パターン４２と突出パターン５２との嵌合で与薬容器２０を吊り下げる構成のため、強度を効率よく発揮するには、マトリクス状の上隅部、すなわち左上、右上の進退突起５１Ｂは、常時突出させる。これによって穿孔パターン４２と突出パターン５２との嵌合の強度が最低限発揮される。より好ましくは、右下、左下の隅部も加えて突出させることで、四隅すべてを進退突起５１で確実に穿孔プレート４０を保持でき、より強固に与薬容器２０を保持できる。図２の例では、３０本の進退突起５１から上２本を除く結果、利用可能な穿孔パターン４２の数は、２８Ｃ１４＝４０１１６６００通りとなり、患者数の多い病院にも対応可能である。
【００６８】
なお、隅部の進退突起を常時突出させる構成の他、例えば隅部近傍の数本の進退突起を併せて突出させる構成も採用できる。また、マトリクス状の穿孔パターン４２及び突出パターン５２の隅部に、進退突起や穿孔とは別に、固定用の孔や突起を設けてもよい。これによって、３０本の進退突起をすべてパターンの形成に利用でき、利用可能なパターン数を多くできる。ただ、別部材を設けることでコストが高くなるため、好ましくは隅部の進退突起や穿孔を固定用の部材として併用する。
【００６９】
さらに、穿孔パターン４２を設けた穿孔プレート４０を裏返した状態でプレート装着ブロック５０に逆差しすることが可能であると、誤ったパターンでも装着できてしまう事態が生じうるので、これを防止するための機構を設けることが好ましい。例えば、左右が常に非対称となるパターンを設けておく。一例として、マトリクス状の右下隅部を常に突出させ、左下隅部を常に穿孔するように、これらの進退を固定しておくことで、逆差しが阻止され、異なるパターンでの装着が防止される。
【００７０】
（緊急用のパターン）
また一方で、緊急用の穿孔プレート４０及び突出パターン５２として、すべての位置を穿孔した穿孔パターン４２と、すべての進退突起５１を突出させた突出パターン５２を生成可能としている。このような共通のパターンを準備しておくことで、急患などの緊急時に速やかに使用可能な構成とできる。
【００７１】
なお、一人の患者に複数の与薬容器２０を使用することもあるため、医療用容器吊下ハンガー１０には複数個のプレート装着ブロック５０が用意され、これらのプレート装着ブロック５０には同一の突出パターン５２が形成される。一方で、同じ患者でも目的の異なる投与の場合は、別のパターンに変えることもでき、これによって同一の患者で、投与時期の異なる薬剤を区別することも可能である。
【００７２】
（穿孔手段３３）
以上のようにして、パターン生成手段３２は、穿孔パターン４２、及び、突出パターン５２を患者固有の識別情報に基づいて形成する。この穿孔パターン情報に従って、穿孔機３０は穿孔プレート４０を穿孔して穿孔パターン４２を形成する。図２の例では、穿孔スロット３６に穿孔プレート４０を挿入すると、穿孔スロット３６内部に設けられたパンチング機構によって穿孔する。これにより、容易かつ迅速に穿孔パターンを多数形成できる。なお、穿孔にはパンチング以外の機構も適宜利用でき、例えばレーザ加工や加熱した棒で溶融させるなど熱によって穿孔したり、ドリル、カッターなどで加工したりする方法を用いることもできる。
【００７３】
また、穿孔プレート４０と与薬容器２０との取り違えを防ぐため、好ましくは先に穿孔プレート４０を与薬容器２０に装着した状態で、穿孔機３０にセットして穿孔する。これにより、穿孔プレート４０のみを先に穿孔して、その後与薬容器に固定する手順に比べ、安全性を高めると共に、穿孔プレート４０と与薬容器の対応関係をとる手間を省ける。
【００７４】
また、与薬容器２０に予め貼付されたラベル２４に、患者の識別情報を記録したバーコードや二次元コードなどを印刷しておくことにより、この与薬容器２０の穿孔プレート４０を穿孔機３０にセットし、穿孔機３０のバーコードリーグや２次元コードリーダでラベル２４に印刷されたバーコードなどを読み取り、自動的に穿孔パターン情報をパターン生成手段３２で生成して、穿孔パターン４２を穿孔する。
【００７５】
また、このようなバーコードリーダや２次元コードリーダなどの光学式読み取り機を識別情報入力手段３１として利用する他、無線タグを利用することも可能である。無線タグは、ＩＣタグ、ＩＤタグ、ＲＦタグ、電子タグ、トランスポンダ、データキャリア等とも呼ばれ、非接触式でＲＦ（Radio Frequency）信号を受信して半導体メモリ等の電子回路に記録されたデータを読み出す技術、あるいは、データを書き込み可能なＲＦＩＤ（Radio Frequency Identification）技術を用いたタグである。電子回路であるＩＣチップ等に記録された情報をリーダ／ライタにより非接触で読み取り可能であるため、このようなリーダを操作して手作業でスキャンする手間を省き、穿孔機に穿孔プレートをセットするのみで、自動的にラベルや与薬容器に埋め込まれたＩＣチップの情報を読み取り、穿孔パターンを取得して穿孔することができる。この方法では、入力の手間がない上、入力ミスも防止できるので、極めて安全性が高く使用し易い医療用患者照合システムが実現される。特に、バーコードや２次元コードのスキャンはそれなりに手間である上、このような電子機器の操作に不慣れな医療従事者には敷居が高いことがあるが、本システムによって入力の手間を省き、より運用の容易な医療用患者照合システムが実現される。
【００７６】
一旦、識別情報入力手段３１で識別情報が取得されると、穿孔と押し出しは同じ情報で行えるため、好ましくは穿孔プレート４０への穿孔と、プレート装着ブロック５０の突出パターン５２形成は、同時に、あるいは連続して行う。
【００７７】
（突出パターン形成手段３４）
突出パターン形成手段３４は、同様に突出パターン情報に従って、プレート装着ブロック５０の進退突起５１を押し出し、あるいは押し戻して突出パターン５２に形成する。このため穿孔機３０は、プレート装着ブロック５０の各突起孔５４の位置に応じて、これを前後から押し出す押し出し機構を備えている。図２の例では、上面の突出スロット３７からプレート装着ブロック５０を挿入すると、内部の押し出し機構によって、指定された突出パターン５２に形成される。
【００７８】
なお、この穿孔機３０は、穿孔プレート４０に穿孔するパンチャーとしての機能と、プレート装着ブロック５０の進退突起５１を押し出しして突出パターン５２を形成する機能とを一体に有しているが、これらの機能を別々に備える構成とすることもできる。例えば、穿孔プレートをセットして穿孔するための第１の穿孔機と、プレート装着ブロックをセットして進退突起５１を押し出すための第２の穿孔機とを、それぞれ用意することもできる。本明細書において穿孔機とは、その名称に拘わらず穿孔に限らず、突出パターンを形成する機能を備える部材も包含する意味で使用する。
【００７９】
（実施の形態２）
また、上記の例では、プレート装着ブロック５０のプレート装着部５３における突出パターン５２を形成に穿孔機を使用しているが、プレート装着ブロック自体に突出パターンを形成する機能を持たせることもできる。例えば、与えられた突出パターン情報に従って進退突起５１を電気式に進退させ、突出パターンを自律的に形成する機構を備える。一例として、プレート装着ブロックに識別情報入力手段を備え、識別情報入力手段から患者の識別情報を入力すると、この識別情報から突出パターン情報を直接演算して、該突出パターン通りに進退突起５１を進退させて、プレート装着部５３に突出パターンを形成する。図１１は、本発明の実施の形態２として、このようなプレート装着ブロック５０Ｂ自体に自律的に突出パターンを形成する機能を備えた例を示している。この例では、手術室用の医療用容器吊下ハンガー１０Ｂとして、天井から吊り下げた筐体に、プレート装着ブロック５０Ｂを４つ設けている。この筐体に設けられた、あるいは、外付けの識別情報入力手段から入力された情報に基づいて、４つのプレート装着ブロック５０Ｂに同じ突出パターンが形成される。
【００８０】
また、プレート装着ブロックには識別情報入力手段を備えず、穿孔機などの識別情報入力手段を備える部材と電気的に接続し、穿孔パターンの情報を受信することも可能である。例えば、有線あるいは無線で穿孔機とプレート装着ブロックとを接続し、穿孔機から穿孔パターン情報をプレート装着ブロックに送信することで、この情報に従って突出パターンをプレート装着部に形成することができる。これにより、一々プレート装着ブロックを医療用容器吊下ハンガーから外して、穿孔機にセットし、突出パターン形成後に穿孔機から外して、再度医療用容器吊下ハンガーに装着するという手間を省くことができる。
【００８１】
（実施の形態３）
また、本発明は、投薬以外に調合にも利用可能である。本発明の実施の形態３として、図１２に２つの薬剤を調合する例を示す。この図に示す医療用容器吊下ハンガー１０Ｃは、調合対象の薬剤を充填した与薬容器２０を吊り下げる２つのプレート装着ブロック５０を備えている。これらのプレート装着ブロック５０も上記と同様に、所定の突出パターン５２に形成され、かつ調合対象の与薬容器２０には対応する穿孔パターン４２が穿孔プレートに穿孔されており、これらを嵌合することで、正しい調剤が行われることが照合できる。もちろん、３種以上の薬剤を調合することも可能であり、医療用容器吊下ハンガーに３以上のプレート装着ブロックを備えてもよい。
【００８２】
（実施の形態４）
以上は、医療用容器吊下ハンガーに輸液バッグ等の与薬容器を吊り下げて使用する態様に本発明を適用する例を説明した。但し、本発明は、この例に限られず、与薬容器を吊り下げない場合を含め、他の形態の与薬容器に対しても適用できる。次に本発明の他の実施の形態として、与薬容器に与薬箱を使用し、与薬箱を机やテーブルの上などに置く際にも薬剤の取り違いが生じないように患者照合を行う方法について、図１３に基づいて説明する。図１３に、本発明の実施の形態４に係る与薬容器２０Ｄと、この与薬容器２０Ｄを固定するプレート装着ブロック５０Ｄの斜視図を示す。この図において、図１３（ａ）は与薬容器２０Ｄを与薬容器設置台１０Ｄ上の所定の位置に配置した状態の斜視図、図１３（ｂ）は、与薬容器２０Ｄの蓋をプレート装着ブロック５０Ｄにセットした状態の斜視図を、それぞれ示している。この与薬容器２０Ｄは、上面に蓋４０Ｄを備える箱状の容器であり、内部に患者に投与する薬剤を収納している。このような与薬容器を取り違えることでも、医療事故に繋がるおそれがあるため、与薬容器と患者との対応関係をきちんと確認する必要がある。例えば、与薬容器に患者の氏名などを表示することで、どの患者に投与する薬剤であるかが確認できるが、これのみでは確認を怠った場合に取り違えを阻止できない。
【００８３】
そこで、与薬容器設置台１０Ｄ上に与薬容器２０Ｄを載置する場所を所定の位置に固定しておき、この位置にプレート装着ブロック５０Ｄを配置することで、プレート装着ブロック５０Ｄに与薬容器２０Ｄの穿孔プレートを嵌合して使用するよう構成すれば、上記と同様に穿孔領域において物理的な穿孔パターンの一致が得られない限り、その与薬容器２０Ｄを利用しないように構成できる。ここでは、与薬容器２０Ｄの蓋４０Ｄを穿孔プレートとして使用し、穿孔領域を設けて固有の穿孔パターンを形成する一方、プレート装着ブロック５０Ｄのプレート装着部５３Ｄを蓋４０Ｄの開放位置とほぼ同じ平面に設計すると共に、プレート装着部５３Ｄに設けられた進退突起の突出パターンを、穿孔パターンと合致するように構成することで、物理的な嵌合が得られる場合にのみ蓋４０Ｄをプレート装着ブロック５０Ｄに装着して、使用可能とする。これにより、与薬容器２０Ｄの取り違えを物理的に阻止する。この例では、穿孔プレートを構成する蓋４０Ｄを、与薬容器２０Ｄに連結する容器連結部が、蓋４０Ｄを開閉させるヒンジ状部分を構成する。プレート装着ブロック５０Ｄには、必要に応じて上記実施の形態１と同様のカバー部を設けて、プレート装着ブロックに嵌合された蓋を固定することもできる。
【００８４】
また、与薬容器２０Ｄの蓋４０Ｄを、外力がない状態では自然に蓋４０Ｄが閉まる方向に移動するように付勢しておき、蓋４０Ｄをプレート装着ブロック５０Ｄに固定しない状態では使用できないように構成してもよい。例えば、蓋４０Ｄのヒンジ状部分をプラスチックなどの弾性部材で構成して、プラスチックの一部を折曲して開閉するようにすれば、プラスチックの復元力によって蓋４０Ｄは勝手に閉まる方向に作用する。そして蓋４０Ｄの形成された穿孔パターンを、プレート装着ブロック５０Ｄの突出パターンに嵌合させることで、機械的に蓋４０Ｄが開放状態に保持されるので、与薬容器２０Ｄの開口部を開放したまま内部の薬剤を取り出すことが可能となる。この構成では、蓋４０Ｄを何らかの方法で固定しない限り与薬容器２０Ｄ内部の薬剤を取り出せないので、使用時に与薬容器２０Ｄをプレート装着ブロック５０Ｄにセットして使用することが強制される。このため、与薬容器設置台１０Ｄ上の定められた位置以外で蓋４０Ｄを開けて使用することを阻害し、照合作業のより確実な履行が促進される。
【００８５】
また、与薬容器２０Ｄの蓋４０Ｄを穿孔プレートとして使用する他、別部材の穿孔プレートを与薬容器に付加する構成としてもよい。特に、既存の与薬箱等の容器に付加する形態の穿孔プレートとすることで、既存のシステムを生かしつつ、医療用患者照合システムを導入できるので、導入コストを低減して医療事故を確実に阻止できる利点が得られる。
【００８６】
与薬容器設置台１０Ｄは、例えば患者のベッド脇や手術台近傍に置かれたテーブルや机、作業台などが利用できる。また、プレート装着ブロック５０Ｄにある程度の重量を持たせることで、任意の位置にプレート装着ブロック５０Ｄを配置して、自重で動かないようにできる。この構成では、既存のテーブル類を利用できるので、安価かつ容易に本発明を導入できる利点が得られる。
【００８７】
（実施の形態５）
さらに、シリンジポンプに本発明を適用することも可能である。図１４に実施の形態５に係るシリンジポンプの例を示す。図１４（ａ）は、シリンジポンプにシリンジをセットする状態を示す斜視図、図１４（ｂ）は、シリンジを固定してシリンジポンプを利用可能にする状態を示す斜視図、図１４（ｃ）は（ｂ）の断面図を、それぞれ示している。シリンジポンプは、シリンジをセットした状態でプランジャをモータで押し出す。このときプランジャを一定速度で動かすよう、マイクロプロセッサ等によりモータを制御することで、無脈流・微量定量送液が実現される。シリンジポンプにセットするシリンジを取り違えることでも、上述の通り医療事故に繋がるおそれがあるため、本発明を適用することで、シリンジポンプにシリンジをセットする際に、該シリンジが正しい患者向けにセットされているかどうかの照合を行うよう構成する。
【００８８】
図１４の例では、与薬容器２０Ｅがシリンジであり、与薬容器設置台１０Ｅがシリンジポンプである。具体的には、図１４（ａ）に示すようにシリンジに、ベルト状に構成した穿孔プレート４０Ｅを本体に巻き付けるように固定し、ベルト状の穿孔プレート４０Ｅに穿孔された穿孔パターンをシリンジポンプにセットすることで、シリンジポンプの動作を可能としている。一方、シリンジポンプには、側面に進退突起の突出するプレート装着ブロック５０Ｅを組み込むと共に、穿孔プレート４０Ｅを装着した状態で作動する動作スイッチＳＷ１を設ける。図１４の例では、動作スイッチＳＷ１は押し込んだ状態でＯＮとなり、シリンジポンプの動作を可能とすると共に、通常状態では動作スイッチＳＷ１が突出してＯＦＦとなり、この状態ではシリンジポンプの動作ができないように設定する。すなわち、図１４（ｂ）に示すように、ベルト状の穿孔プレート４０Ｅをセットした状態で、ベルトの側面で動作スイッチＳＷ１を押圧してＯＮ状態に保持するように構成する。この構成では、ベルト状の穿孔プレート４０Ｅをプレート装着ブロック５０Ｅに装着できないと動作スイッチＳＷ１をＯＮ状態とできず、シリンジポンプを使用できない。このため、シリンジとシリンジポンプが正しい組み合わせであるかどうかの照合が必須となり、取り違えを未然に防止できる。なおプレート装着ブロック５０Ｅは、シリンジポンプに一体に組み込む他、シリンジポンプと別部材とし、既存のシリンジポンプに装着可能とすることで、既存の設備を生かして患者照合システムを安価に導入できる。
【００８９】
（実施の形態６）
さらに、上記の例ではベルト状の穿孔プレートをシリンジから垂下させて装着する構成を示したが、穿孔プレートやプレート装着ブロックの配置や形状は、この例に限られない。例えば、実施の形態６として図１５の正面図に示すように、穿孔プレート４０Ｆを延長し、与薬容器２０Ｆであるシリンジポンプの周囲を捲回して、穿孔プレート４０Ｆの位置と反対側の側面にてプレート装着ブロック５０Ｆに嵌合するように構成することもできる。このように穿孔プレート４０Ｆを延長してシリンジポンプの底面を含む周囲を捲回させることで、穿孔プレート４０Ｆを確実にシリンジポンプ側面に装着でき、動作スイッチＳＷ２を保持する安定性が高まる。
【００９０】
（実施の形態７）
図１６は、実施の形態７の構成を示す。この実施の形態７では、医療用容器吊下ハンガー１０の上部に、上記例とは異なる構成のプレート装着ブロック５０Ｇを備えている。
【００９１】
すなわち、プレート装着ブロック５０Ｇは、図１７及び図１８に示すように、ベース１０１と、カバー１０２と、スライダ１０３とで構成されている。
【００９２】
ベース１０１は、図１９に示すように、両側にガイド壁１０４を備え、ガイド壁１０４の間の溝部１０５には複数の保持凹部１０６が形成されている。各保持凹部１０６にはスプリング１０７と第１ピン１０８とが配置されている。また、ベース１０１の両側には矩形状のガイド穴１０９がそれぞれ形成されている。
【００９３】
カバー１０２は、図１７及び図１８に示すように、ベース１０１の溝部１０５を覆うようにしてガイド壁１０４の上面にネジ止め固定される。カバー１０２の表面には、ロック部１１０が設けられ、その近傍にはロックピン１１３が挿通する挿通孔１１１が穿設されている。
【００９４】
ロック部１１０は、カバー１０２にネジ止め固定した支持プレート１１２にロックピン１１３を設けた構成である。ロックピン１１３は、指で掴んで引っ張りやすくした瓢箪型形状の把持部１１４と、内部に位置して第２プレート１２７に係合する係合部１１５とを備える。
【００９５】
前記把持部１１４は、上方に向かって円弧状に突出する膨出部１１６を備える。この膨出部１１６は、把持部１１４に何か引っ掛けられることを防止するために設けられている。例えば、点滴用の輸液バッグ等は、プレート装着ブロック５０Ｇに装着するまでの間、輸液チューブを把持部１１４に引っ掛けておくことが想定される。そして、把持部１１４に引っ張り方向以外の荷重が作用すると、損傷する恐れがある。しかし、前記膨出部１１６の働きにより、物を引っ掛けること自体が阻止されているので、長期に亘って良好な状態を維持できる。また、把持部１１４に輸液バッグ等を引っ掛けて使用することによる誤投与等を防止することができる。
【００９６】
前記係合部１１５の途中には鍔部１１７が設けられ、外装されたスプリング１１８が、支持プレート１１２と鍔部１１７との間に配置され、ロックピン１１３を係合部１１５が突出する方向に付勢している。係合部１１５の先端は傾斜面１１５ａを有し、第１装着部１１９に装着される第１プレート１２６の縁部で押圧可能となっている。これにより、ロックピン１１３は、スプリング１１８の付勢力に抗してカバー１０２からさらに突出するように移動する。
【００９７】
スライダ１０３は、一端側に開口するスリット状の凹部を形成され、この凹部が第１装着部１１９を構成する。また、スライダ１０３には、前記ベース１０１の保持凹部１０６に対応する位置に、前記凹部を挟んで第１貫通孔１２０及び第２貫通孔１２１がそれぞれ形成されている。各第１貫通孔１２０には第２ピン１２２がそれぞれ配置されている。また、各第２貫通孔１２１には、ボール１２３がそれぞれ配置されると共に、前記第２ピン１２２の先端部が係脱可能となっている。また、スライダ１０３の一端側外面（第２貫通孔１２１が開口する側の面）には、ロックピン１１３の係合部１１５が係脱する係止凹部１０３ａが形成されている。さらに、スライダ１０３の両側部には、前記ベース１０１のガイド穴１０９に配置されるガイド突部（図示せず）がそれぞれ形成されている。スライダ１０３は、前記ベース１０１の溝部１０５に両側面をガイドされるようにしてスライド可能に配置され、ガイド突部をガイド穴１０９にガイドされることにより移動範囲が制限される。
【００９８】
前記ベース１０１に、スライダ１０３が装着され、カバー１０２を取り付けた状態で、一端側にスライダ１０３に形成した第１装着部１１９が開口し、他端側に、スライダ１０３とカバー１０２との間に形成される隙間、すなわち第２装着部１２５が開口する。第１装着部１１９には第１プレート１２６が、第２装着部１２５には第２プレート１２７がそれぞれ着脱可能となっている。
【００９９】
第１プレート１２６には、図２０に示すように、患者に固有の第１パターンで複数の貫通孔１２６ａが形成されている。また、第１プレート１２６には、患者の氏名が印刷される患者名表示部１２６ｂが形成されている。
【０１００】
第２プレート１２７には、図２１に示すように、第１パターンに関連付けた第２パターンで複数の貫通孔１２７ａが形成されると共に、前記第１プレート１２６と同様な患者名表示部１２７ｂが形成されている。第２プレート１２７の一端側中央部には、前記ロックピン１１３の係合部１１５が係脱可能なロック孔１２７ｃが形成されている。また、第２プレート１２７には、前記ロック孔１２７ｃの近傍から結束バンド１２８が延設され、輸液パック等の与薬容器２０Ｇに装着可能となっている。前記各プレート１２６、１２７の例では、形成された貫通孔１２６ａ、１２７ａの両パターンで、前記ベース１０１に設けた第１ピン１０８（又はスライダ１０３に設けた第２ピン１２２）の全てに対応可能となるように構成されている。
【０１０１】
前記構成のプレート装着ブロック５０Ｇによれば、第１装着部１１９に第１プレート１２６が装着された状態で、第２装着部１２５に第２プレート１２７を挿入する場合、この第２プレート１２７に形成した貫通孔１２７ａのパターンが前記第１プレート１２６に形成した第１パターンに関連付けされた第２パターンでなければ、この第２プレート１２７は正規のものでないため装着することができない（基本的な構成は、例えば、特開平９−２９１７２９号公報参照）。
【０１０２】
前記構成のプレート装着ブロック５０Ｇは、医療用容器吊下ハンガー１０の上部に、周方向に５箇所等分で形成した収容ボックス１２９内にそれぞれ配設される。
【０１０３】
収容ボックス１２９は、側方に開口するボックス本体１３０と、このボックス本体１３０の開口を開閉する蓋体１３１とで構成されている。
【０１０４】
ボックス本体１３０は、下方側の両内側面にヒンジ部１３２がそれぞれ設けられ、そこには、前記蓋体１３１と、ガイド部材１３３とがそれぞれ別個に回動可能に支持されている。ガイド部材１３３は、前記プレート装着ブロック５０Ｇの一端部をガイドし、このプレート装着ブロック５０Ｇと共に回動可能となっている。また、ボックス本体１３０の上方側内側面には係止受部１３４が形成され、後述する係止片１４０が係脱可能となっている。
【０１０５】
蓋体１３１の内面４箇所には、前記プレート装着ブロック５０Ｇをネジ止めするための雌ネジが形成されたボス部（図示せず）が形成されている。また、蓋体１３１には、前記第１装着部１１９に装着される第１プレート１２６の患者名表示部１２６ｂを視認可能とするための窓部１３６が形成されている。また、蓋体１３１には、窓部１３６の下方近傍に前記ロックピン１１３の把持部１１４が突出する開口部１３７が形成されている。この開口部１３７には、把持部１１４に一体化した膨出部１１６が位置する切欠き１３７ａが形成され、ロックピン１１３の回転方向の位置決めがなされている。これにより、傾斜面１１５ａが必ず下方側すなわち第２プレート１２７の挿入側に面することになる。さらに、蓋体１３１には、窓部１３６の近傍にロック部１３８が設けられている。ロック部１３８は、蓋体１３１の外面側に露出し、図示しないキーが挿入されるキー挿入部１３９と、蓋体１３１の内面側で回動する係止片１４０とを備える。蓋体１３１でボックス本体１３０の開口を閉鎖した状態で、キーをキー挿入部１３９に挿入して回転させることにより、係止片１４０をボックス本体１３０の係止受部１３４に係脱可能となっている。
【０１０６】
実施の形態７では、前記実施の形態１と同様に、サーバ等に患者情報が記憶され、ＩＤ番号等の識別情報が付与され、第１プレート１２６が発行される。第１プレート１２６には、識別情報に基づいて穿孔機によって固有の穿孔パターン（第１パターン）で貫通孔１２６ａが形成される。つまり、第１プレート１２６は、その患者に固有のものであり、他の患者のものとは形成される貫通孔１２６ａの穿孔パターン（第１パターン）が相違する。
【０１０７】
看護師は、発行された第１プレート１２６を、プレート装着ブロック５０Ｇの第１装着部１１９に装着する。通常、プレート装着ブロック５０Ｇは、患者のベッド脇に置かれた医療用容器吊下ハンガー１０の収容ボックス１２９に装着されている。したがって、蓋体１３１を開放し、そこに装着されたプレート装着ブロック５０Ｇの第１装着部１１９に第１プレート１２６を装着する。そして、蓋体１３１を閉鎖し、キーによりボックス本体１３０に対して蓋体１３１をロックすると、窓部１３６から第１プレート１２６に形成した患者名表示部１２６ｂが視認可能となる。
【０１０８】
このようにして、患者に固有の第１プレート１２６を装着されたプレート装着ブロック５０Ｇは、その患者専用のものとなる。また、蓋体１３１はボックス本体１３０に対して鍵がかけられた状態となるので、キーを保持した看護師のみが開放でき、他の者により、誤って第１プレート１２６が取り外されたり、交換されたりする心配がない。
【０１０９】
ところで、例えば、前記患者に点滴する場合、医師が発行する処方箋に従って該当する薬剤が収容された輸液バッグ（与薬容器２０Ｇ）が払い出される。このとき、前記第１プレート１２６に形成した第１パターンに関連付けした第２パターンで貫通孔１２７ａを形成された第２プレート１２７が発行される。この第２プレート１２７の発行も、前記第１プレート１２６と同様に、患者の識別情報に基づいて穿孔機によって第２パターンで貫通孔１２７ａを形成することにより行われる。第２プレート１２７には結束バンド１２８が形成されているので、看護師は与薬容器２０Ｇに結束バンド１２８を介して第２プレート１２７を連結する。
【０１１０】
第２プレート１２７を連結された与薬容器２０Ｇは、看護師によって該当する患者のいる病室まで搬送され、その患者専用のプレート装着ブロック５０Ｇ、すなわち、その患者に固有のパターン（第１パターン）で貫通孔１２６ａを形成された第１プレート１２６を装着されたプレート装着ブロック５０Ｇの第１装着部１１９に装着される。このとき、看護師は、収容ボックス１２９の窓部１３６から患者名表示部１２６ｂを確認することができるので、まず、この時点で取り違えがないか確認できる。
【０１１１】
続いて、第２プレート１２７をプレート装着ブロックの第２装着部１２５に挿入する。正規の第２プレート１２７が挿入される場合、この第２プレート１２７をスライダ１０３と共に所定位置まで挿入でき、ロック孔１２７ｃ及びスライダ１０３の係止凹部１０３ａにロックピン１１３の係合部１１５が係合する。これにより、第２プレート１２７及びそれを連結した与薬容器２０Ｇが吊り下げられた状態となり、正規の第２プレート１２７が装着されたことがわかる。また、他の患者の第２プレート１２７が装着された場合、形成された貫通孔１２７ａのパターン（第２パターン）は、前記第１パターンとは関連付けされたものでないため、第２装着部１２５に第２プレート１２７を挿入しても、スライダ１０３を移動させることができない。このため、第２プレート１２７を所定位置まで移動させることができず、従ってロック孔１２７ｃにロックピン１１３の係合部１１５を係合させることもできない。この結果、第２プレート１２７は第２装着部１２５に装着できない。つまり、物理的に第２プレート１２７及び与薬容器２０Ｇの装着を防止し、与薬容器２０Ｇの取り違えを確実に阻止することが可能となる。
【０１１２】
なお、前記プレート装着ブロック５０Ｇの第２装着部１２５への第２プレート１２７の装着では、入院時に患者に、患者情報を書き込んだ、ＩＣやバーコードを有するリストバンド、指輪等を渡し、それらとの間で照合を行うようにすれば、より一層確実に取り違えをなくすことが可能となる点で好ましい。また更には、前記患者に装着したＩＣやバーコードを有するリストバンドや指輪等を利用することにより、前記輸液バッグと共に第２プレート１２７が払い出される際に、当該輸液バッグに貼付される輸液ラベルに関する情報をＩＣやバーコード化して第２プレート１２７に内蔵もしくは印刷することで、第２プレート１２７のＩＣやバーコードと患者に装着したＩＣやバーコードとの照合も可能となり、単に患者情報と第２プレート１２７と共に払い出される輸液との照合のみならず、処方箋に基づいて払い出された輸液情報から患者本人かどうかの確認まで含めた種々の照合が可能となる。
【０１１３】
以上のように本実施の形態によれば、物理的なパターンの一致が得られない限り、与薬容器を使用できないように構成することで、薬剤の取り違いが物理的に阻止され、強制的な患者照合作業の履行によって投薬の安全性を維持することが可能となる。特に従来の照合システムでは、仮に照合の結果誤りが検出され、警報等が出されたとしても、これを無視して作業を続けることが可能であったため、強制力がなく実効性に欠けるものであった。例えば、人命に関わる緊急時には緊張のために警報に気付かないことがある。また緊急病棟などでは警報の類が多く、警報が多発している場合には、このような警報音に慣れてしまい、緊急性と相俟ってあまり気に留めなくなる恐れがある。この結果、警報として機能しない状況が発生し得る。これに対し、本実施の形態では、患者照合のプロセスを経ないと物理的に作業を行うことのできないシステムを構築している。このため、必然的に患者照合を強制することになり、薬剤投与の正確性を担保できる。
【産業上の利用可能性】
【０１１４】
本発明の医療用患者照合システム、穿孔機、与薬容器設置台、プレート装着ブロック、穿孔プレート、及び、与薬容器は、患者への点滴や投薬に際し、正しい薬剤の入った与薬容器が選択されていることを確認する照合システムとして、好適に利用できる。
【図面の簡単な説明】
【０１１５】
【図１】本発明の実施の形態１に係る与薬容器設置台である医療用容器吊下ハンガーに与薬容器を吊り下げた状態を示す斜視図である。
【図２】本発明の実施の形態１に係る穿孔機を示す説明図である。
【図３】図１の与薬容器に穿孔プレートを装着した状態を示す平面図である。
【図４】与薬容器の他の例を示す正面図である。
【図５】与薬容器のさらに他の例を示す正面図である。
【図６】図１のプレート装着ブロックに穿孔プレートを装着する状態を示す断面図である。
【図７】図１の医療用容器吊下ハンガーに装着されるプレート装着ブロックを示す斜視図である。
【図８】図７のプレート装着ブロックの進退突起を突出させる状態を説明する断面図である。
【図９】図６のプレート装着ブロックにセットされるカバー部を示す斜視図である。
【図１０】穿孔機の構成を示すブロック図である。
【図１１】本発明の実施の形態２に係る与薬容器設置台である医療用容器吊下ハンガーの他の例を示す斜視図である。
【図１２】本発明の実施の形態３に係る医療用容器吊下ハンガーの例を示す斜視図である。
【図１３】本発明の実施の形態４に係る与薬容器及びプレート装着ブロックを示す斜視図である。
【図１４】本発明の実施の形態５に係る与薬容器であるシリンジ及び与薬容器設置台であるシリンジポンプを示す斜視図である。
【図１５】本発明の実施の形態６に係る与薬容器であるシリンジ及び与薬容器設置台であるシリンジポンプを示す正面図である。
【図１６】本発明の実施形態７に係る与薬容器設置台である医療用容器吊下ハンガーに与薬容器を吊り下げた状態を示す正面図である。
【図１７】図１６の与薬容器及びプレート装着ブロックを示す正面図である。
【図１８】図１７の側面図である。
【図１９】図１７に示すベースの正面図である。
【図２０】図１７のプレート装着ブロックに装着される第１プレートの正面図である。
【図２１】図１７のプレート装着ブロックに装着される第２プレートの正面図である。
【図２２】従来の医療用容器吊下ハンガーに輸液バッグを吊り下げて点滴する様子を示す斜視図である。
【図２３】従来の他の点滴スタンド装置を示す斜視図である。
【符号の説明】
【０１１６】
１…薬品容器
２…点滴スタンド
３…識別崇子
５…読取装置
６…判断装置
１０、１０Ｂ…医療用容器吊下ハンガー
１０Ｄ、１０Ｅ…与薬容器設腹背
１１…シャフト
１２…装着リング
１３…脚部
１４…自由キャスタ
１５…鉤
１７…移動用の取つ手
１８…固定ボタン
２０、２０Ｂ、２０Ｃ、２０Ｄ、２０Ｅ、２０Ｆ、２０Ｇ…与薬容器
２１…薬剤収納部
２２…吊下部
２３…吊孔
２４…ラベル
２５…ポート
３０…穿孔機
３１…識別情報入力手段
３２…パターン生成手段
３３…穿孔手段
３４…突出パターン形成手段
３５…表示部
３６…穿孔スロット
３７…突出スロット
４０、４０Ｅ、４０Ｆ…穿孔プレート
４０Ｄ…蓋
４卜…穿孔領域
４２…穿孔パターン
４３…容器連結部
５０、５０Ｂ、５０Ｄ、５０Ｅ、５０Ｆ、５０Ｇ…プレート装着ブロック
５１、５１Ｂ…進退突起
５２…突出パターン
５３、５３Ｄ…プレート装着部
５４…突起孔
６０…カバー部
７０…ブロック装着具
７１…突起
７２…切り欠き
７３…ホック
１０１…ベース
１０２…カバー
１０３…スライダ
１０４…ガイド壁
１０５…溝部
１０６…保持凹部
１０７…スプリング
１０８…第１ピン
１０９…ガイド穴
１１０…ロック部
１１１…挿通孔
１１２…支持プレート
１１３…ロックピン
１１４…把持部
１１５…係合部
１１６…膨出部
１１７…鍔部
１１８…スプリング
１１９…第１装着部
１２０…第１貫通孔
１２１…第２貫通孔
１２２…第２ピン
１２３…ボール
１２５…第２装着部
１２６…第１プレート
１２７…第２プレート
１２８…結束バンド
１２９…収容ボックス
１３０…ボックス本体
１３１…蓋体
１３２…ヒンジ部
１３３…ガイド部材
１３４…係止受部
１３６…窓部
１３７…開口部
１３９…キー挿入部
１４０…係止片
ＳＷ１、ＳＷ２…動作スイッチ
【図１】
2007172594.tif 000003
【図２】
2007172594.tif 000004
【図３】
2007172594.tif 000005
【図４】
2007172594.tif 000006
【図５】
2007172594.tif 000007
【図６】
2007172594.tif 000008
【図７】
2007172594.tif 000009
【図８】
2007172594.tif 000010
【図９】
2007172594.tif 000011
【図１０】
2007172594.tif 000012
【図１１】
2007172594.tif 000013
【図１２】
2007172594.tif 000014
【図１３】
2007172594.tif 000015
【図１４】
2007172594.tif 000016
【図１５】
2007172594.tif 000017
【図１６】
2007172594.tif 000018
【図１７】
2007172594.tif 000019
【図１８】
2007172594.tif 000020
【図１９】
2007172594.tif 000021
【図２０】
2007172594.tif 000022
【図２１】
2007172594.tif 000023
【図２２】
2007172594.tif 000024
【図２３】
2007172594.tif 000025